(57)【特許請求の範囲】
【請求項１】
直列接続可能な複数の低段側圧縮部（２１、２２、２３）と、
複数の前記低段側圧縮部で圧縮された後の冷媒をさらに圧縮する高段側圧縮部（２４）と、
複数の熱源側第１熱交換器（４１、４２、４３）と、
熱源側第２熱交換器（４４）と、
利用側熱交換器（１２ａ、１３ａ）と、
複数の前記低段側圧縮部（２１、２２、２３）と複数の前記熱源側第１熱交換器（４１、４２、４３）との間にそれぞれ設けられており運転状態を切り換える複数の第１切換機構（２６、２７、２８）と、
前記高段側圧縮部（２４）と前記熱源側第２熱交換器（４４）との間に設けられており運転状態を切り換える第２切換機構（２９）と、
複数の前記熱源側第１熱交換器（４１、４２、４３）を複数の前記低段側圧縮部（２１）から吐出された後に前記高段側圧縮部（２４）に向かう冷媒の冷却器として機能させ、前記熱源側第２熱交換器（４４）を前記高段側圧縮部（２４）から吐出された冷媒の冷却器として機能させ、前記利用側熱交換器（１２ａ、１３ａ）を冷媒の蒸発器として機能させる冷房運転を行う状態と、
前記利用側熱交換器（１２ａ、１３ａ）を冷媒の冷却器として機能させ、前記熱源側第２熱交換器（４４）を冷媒の蒸発器として機能させ、複数の前記熱源側第１熱交換器（４１、４２、４３）を冷媒の蒸発器として機能させる暖房運転を行う状態と、
前記熱源側第２熱交換器（４４）を蒸発器として機能させつつ複数の前記熱源側第１熱交換器（４１、４２、４３）に対して複数の前記低段側圧縮部（２１、２２、２３）から吐出される冷媒を供給して霜を除去する第１デフロスト運転と、複数の前記熱源側第１熱交換器（４１、４２、４３）を蒸発器として機能させつつ前記熱源側第２熱交換器（４４）に対して前記高段側圧縮部（２４）から吐出される冷媒を供給して霜を除去する第２デフロスト運転と、の少なくともいずれか一方を行うデフロスト運転状態と、
を複数の前記第１切換機構（２６、２７、２８）および前記第２切換機構（２９）の切り換えによって実行する制御部（７）と、
を備えた空気調和装置（１）。
【請求項２】
前記制御部（７）は、少なくとも前記第１デフロスト運転を行い、
前記第１デフロスト運転では、前記第２切換機構（２９）の切り換えにより前記高段側圧縮部（２４）から吐出される冷媒を前記利用側熱交換器（１２ａ、１３ａ）に供給し、前記利用側熱交換器（１２ａ、１３ａ）を冷媒の放熱器として機能させる
請求項１に記載の空気調和装置（１）。
【請求項３】
前記暖房運転時に前記利用側熱交換器（１２ａ、１３ａ）で冷却された後の冷媒を、複数の前記熱源側第１熱交換器（４１、４２、４３）側に送る第１回路および前記第１回路に設けられた第１膨張弁（４７）と、前記熱源側第２熱交換器（４４）側に送る第２回路と前記第２回路に設けられた第２膨張弁（４８）と、をさらに備え、
前記制御部（７）は、
前記暖房運転では、前記第１膨張弁（４７）と前記第２膨張弁（４８）の両方とも開いた状態とし、
前記第１デフロスト運転では、前記第１膨張弁（４７）を全閉状態にしつつ、前記第２膨張弁（４８）が開いた状態にする、
請求項２に記載の空気調和装置（１）。
【請求項４】
前記暖房運転時に前記利用側熱交換器（１２ａ、１３ａ）で冷却された後の冷媒を、複数の前記熱源側第１熱交換器（４１、４２、４３）側に送る第１回路および前記第１回路に設けられた第１膨張弁（４７）と、前記熱源側第２熱交換器（４４）側に送る第２回路と前記第２回路に設けられた第２膨張弁（４８）と、をさらに備え、
前記制御部（７）は、
少なくとも前記第２デフロスト運転を行い、
前記暖房運転では、前記第１膨張弁（４７）と前記第２膨張弁（４８）の両方とも開いた状態とし、
前記第２デフロスト運転では、前記第２膨張弁（４８）を全閉状態にしつつ、前記第１膨張弁（４７）が開いた状態にする、
請求項１に記載の空気調和装置（１）。
【請求項５】
前記暖房運転時の冷媒流れ方向において前記利用側熱交換器（１２ａ、１３ａ）の下流側に設けられた利用側膨張弁（１２ｂ、１３ｂ）をさらに備え、
前記制御部（７）は、前記第２デフロスト運転では、前記利用側膨張弁（１２ｂ、１３ｂ）を全閉状態とする、
請求項４に記載の空気調和装置（１）。
【請求項６】
前記暖房運転時に前記利用側熱交換器（１２ａ、１３ａ）で冷却された後の冷媒を、複数の前記熱源側第１熱交換器（４１、４２、４３）側に送る第１回路および前記第１回路に設けられた第１膨張弁（４７）と、前記熱源側第２熱交換器（４４）側に送る第２回路と前記第２回路に設けられた第２膨張弁（４８）と、をさらに備え、
前記制御部（７）は、
前記第１デフロスト運転と前記第２デフロスト運転の両方を選択的に実行可能であり、
予め定められた前記第１デフロスト運転に関する第１開始条件を満たした場合に前記第１デフロスト運転を行い、前記第１デフロスト運転とは別に予め定められた前記第２デフロスト運転に関する第２開始条件を満たした場合に前記第２デフロスト運転を行う、
請求項１に記載の空気調和装置（１）。
【発明の詳細な説明】
【技術分野】
【０００１】
本発明は、空気調和装置、特に、複数の圧縮部を有する複数段圧縮機構を備えた空気調和装置に関する。
【背景技術】
【０００２】
従来から、多段圧縮冷凍サイクルを行う空気調和装置であって、圧縮途中の中間圧の冷媒を冷却する手段を備えたものが存在する。
【０００３】
例えば、特許文献１（特開２０１３−２１０１５８号公報）に記載の空気調和装置では、室外ユニットが複数の室外熱交換器を備えており、冷房運転時には複数の室外熱交換器が互いに直列に接続された状態で運転され、暖房運転時には複数の室外熱交換器が互いに並列に接続された状態で運転される。この冷房運転では、前段側の圧縮要素から吐出され後段側の圧縮要素に吸入される中間圧の冷媒を冷却するインタークーラとして機能するものと、最高段の圧縮要素から吐出された冷媒の熱を放熱するガスクーラとして機能するものとが直列に接続されることになる。また、暖房運転では、室内熱交換器において熱を放熱した冷媒が各室外熱交換器において蒸発するように、互いに並列に接続されることになる。
【発明の概要】
【発明が解決しようとする課題】
【０００４】
上述の特許文献１（特開２０１３−２１０１５８号公報）に記載の空気調和装置では、暖房運転時に冷媒の蒸発器として機能する室外熱交換器において霜が付着した場合について、特に記載されていない。
【０００５】
例えば、上記空気調和装置では、従来より知られている逆サイクルデフロスト（冷房運転時の冷媒の流し方と同様の流し方の運転）を行うことにより、霜が付着している室外熱交換器に高温の冷媒を供給し、霜を融かすことが可能になる。
【０００６】
ところが、このような逆サイクルデフロストを行って冷房運転時と同様の冷媒の流し方により室外熱交換器の霜を融かそうとしても、複数段の圧縮要素が互いに直列に接続されている状態となるため、低段側の圧縮要素から吐出される冷媒の温度が低くなりがちである。
【０００７】
しかも、逆サイクルデフロストでは、室外熱交換器のうち霜が付着している部分だけでなく霜が付着していない部分も含めて室外熱交換器の全体を冷媒の放熱器として機能させている。したがって、デフロスト時に霜を融かす以外に無駄な熱を放出してしまっている。
【０００８】
本発明は、上述した点に鑑みてなされたものであり、本発明の課題は、複数段圧縮を行って冷房運転および暖房運転を行う冷媒回路において、暖房運転中における部分的な着霜に対応できるデフロスト運転を行うことが可能な空気調和装置を提供することにある。
【課題を解決するための手段】
【０００９】
第１観点に係る冷凍装置は、複数の低段側圧縮部と、高段側圧縮部と、複数の熱源側第１熱交換器と、熱源側第２熱交換器と、利用側熱交換器と、複数の第１切換機構と、第２切換機構と、制御部と、を備えている。複数の低段側圧縮部は、互いに直列接続されることが可能である。高段側圧縮部は、複数の低段側圧縮部で圧縮された後の冷媒をさらに圧縮する。複数の第１切換機構は、複数の低段側圧縮部と複数の熱源側第１熱交換器との間にそれぞれ設けられており、運転状態を切り換える。第２切換機構は、高段側圧縮部と熱源側第２熱交換器との間に設けられており、運転状態を切り換える。制御部は、冷房運転を行う状態と、暖房運転を行う状態と、第１デフロスト運転と第２デフロスト運転との少なくともいずれか一方を行うデフロスト運転状態と、を複数の第１切換機構および第２切換機構の切り換えによって実行する。冷房運転を行う状態では、複数の熱源側第１熱交換器を複数の低段側圧縮部から吐出された後に高段側圧縮部に向かう冷媒の冷却器として機能させ、熱源側第２熱交換器を高段側圧縮部から吐出された冷媒の冷却器として機能させ、利用側熱交換器を冷媒の蒸発器として機能させる。暖房運転を行う状態では、利用側熱交換器を冷媒の冷却器として機能させ、熱源側第２熱交換器を冷媒の蒸発器として機能させ、複数の熱源側第１熱交換器を冷媒の蒸発器として機能させる。第１デフロスト運転では、熱源側第２熱交換器を蒸発器として機能させつつ複数の熱源側第１熱交換器に対して複数の低段側圧縮部から吐出される冷媒を供給して霜を除去する。第２デフロスト運転では、複数の熱源側第１熱交換器を蒸発器として機能させつつ熱源側第２熱交換器に対して高段側圧縮部から吐出される冷媒を供給して霜を除去する。
【００１０】
なお、デフロスト運転状態では第１デフロスト運転と第２デフロスト運転との少なくともいずれか一方を行うことが可能となるように構成されていればよく、第１デフロスト運転のみが可能な構成であってもよいし、第２デフロスト運転のみが可能な構成であってもよいし、第１デフロスト運転と第２デフロスト運転とが選択的に可能な構成であってもよく、第２熱源側熱交換器と複数の第１熱源側熱交換器の両方の同時の除霜をさらに実行可能な構成であってもよい。
【００１１】
この冷凍装置では、高段側圧縮部および複数の低段側圧縮部を備えた多段圧縮冷凍サイクルにおいて、熱源側熱交換器のうち第２熱源側熱交換器に付着した霜を除去する第１デフロスト運転と、複数の第１熱源側熱交換器に付着した霜を除去する第２デフロスト運転との少なくともいずれか一方を、制御部が、複数の第１切換機構および第２切換機構の切り換えによって実行する。このため、第２熱源側熱交換器と複数の第１熱源側熱交換器のうち着霜が生じている部分について集中的な除霜を行うことが可能になる。
【００１２】
第２観点に係る冷凍装置は、第１観点に係る冷凍装置であって、制御部は、少なくとも第１デフロスト運転を行う。第１デフロスト運転では、第２切換機構の切り換えにより高段側圧縮部から吐出される冷媒を利用側熱交換器に供給し、利用側熱交換器を冷媒の放熱器として機能させる。
【００１３】
なお、ここでは、デフロスト運転状態では第１デフロスト運転を行うことができればよく、第２デフロスト運転をさらに行うことができてもよいし、第１デフロスト運転と第２デフロスト運転とが選択的に可能な構成であってもよく、第２熱源側熱交換器と複数の第１熱源側熱交換器の両方の同時の除霜をさらに実行可能な構成であってもよい。
【００１４】
この冷凍装置では、複数の第１熱源側熱交換器に着霜した霜をデフロストする際には、熱源側第２熱交換器を冷媒の蒸発器として機能させて、利用側熱交換器を冷媒の放熱器として機能させ続けることが可能になる。このため、複数の第１熱源側熱交換器におけるデフロストを行っている間も利用側熱交換器が設けられている空間の暖房を継続することが可能になる。
【００１５】
第３観点に係る冷凍装置は、第２観点に係る冷凍装置であって、暖房運転時に利用側熱交換器で冷却された後の冷媒を、複数の熱源側第１熱交換器側に送る第１回路および第１回路に設けられた第１膨張弁と、熱源側第２熱交換器側に送る第２回路と第２回路に設けられた第２膨張弁と、をさらに備えている。制御部は、暖房運転では第１膨張弁と第２膨張弁の両方とも開いた状態とし、第１デフロスト運転では、第１膨張弁を全閉状態にしつつ第２膨張弁が開いた状態にする。
【００１６】
この冷凍装置では、暖房運転では、第１膨張弁と第２膨張弁の両方とも開いた状態とすることで、暖房運転時に利用側熱交換器で冷却された後の冷媒を、熱源側第２熱交換器への流れと複数の熱源側第１熱交換器側への流れとに分けて並列に冷媒を流すことが可能になり、熱源側第２熱交換器と複数の熱源側第１熱交換器の全体で冷媒を蒸発させることが可能になる。第１デフロスト運転では、第１膨張弁を全閉状態にしつつ第２膨張弁が開いた状態にすることで、利用側熱交換器で冷却された後の冷媒を複数の熱源側第１熱交換器に向けて流すことなく熱源側第２熱交換器に向けて流すことが可能になり、熱源側第２熱交換器で冷媒を蒸発させることが可能になる。そして、複数の熱源側第１熱交換器に対しては複数の低段側圧縮部から吐出される冷媒を供給して霜を除去することが可能になる。このようにして、第１膨張弁と第２膨張弁の２つの膨張弁の開閉制御によって、暖房運転と第１デフロスト運転を行うことが可能になる。
【００１７】
第４観点に係る冷凍装置は、第１観点に係る冷凍装置であって、暖房運転時に利用側熱交換器で冷却された後の冷媒を、複数の熱源側第１熱交換器側に送る第１回路および第１回路に設けられた第１膨張弁と、熱源側第２熱交換器側に送る第２回路と第２回路に設けられた第２膨張弁と、をさらに備えている。制御部は、少なくとも第２デフロスト運転を行う。また、制御部は、暖房運転では第１膨張弁と第２膨張弁の両方とも開いた状態とし、第２デフロスト運転では第２膨張弁を全閉状態にしつつ、第１膨張弁が開いた状態にする。
【００１８】
この冷凍装置では、暖房運転では、第１膨張弁と第２膨張弁の両方とも開いた状態とすることで、暖房運転時に利用側熱交換器で冷却された後の冷媒を、熱源側第２熱交換器への流れと複数の熱源側第１熱交換器側への流れとに分けて並列に冷媒を流すことが可能になり、熱源側第２熱交換器と複数の熱源側第１熱交換器の全体で冷媒を蒸発させることが可能になる。第２デフロスト運転では、第２膨張弁を全閉状態にしつつ第１膨張弁が開いた状態にすることで、液冷媒を熱源側第２熱交換器に向けて流すことなく複数の熱源側第１熱交換器に向けて流すことが可能になり、複数の熱源側第１熱交換器で冷媒を蒸発させることが可能になる。そして、熱源側第２熱交換器に対しては高段側圧縮部から吐出される冷媒を供給して霜を除去することが可能になる。このようにして、第１膨張弁と第２膨張弁の２つの膨張弁の開閉制御によって、暖房運転と第２デフロスト運転を行うことが可能になる。
【００１９】
第５観点に係る冷凍装置は、第４観点に係る冷凍装置であって、暖房運転時の冷媒流れ方向において利用側熱交換器の下流側に設けられた利用側膨張弁をさらに備えている。制御部は、第２デフロスト運転では、利用側膨張弁を全閉状態とする。
【００２０】
この冷凍装置では、熱源側第２熱交換器を除霜する第２デフロスト運転では、利用側膨張弁を全閉状態とすることで利用側熱交換器が冷媒の蒸発器として機能しないようにすることができる。これにより、第２デフロスト運転時に利用側熱交換器が設けられた空間が意図せず冷やされてしまうことを抑制することが可能になる。
【００２１】
第６観点に係る冷凍装置は、第１観点に係る冷凍装置であって、暖房運転時に利用側熱交換器で冷却された後の冷媒を、複数の熱源側第１熱交換器側に送る第１回路および第１回路に設けられた第１膨張弁と、熱源側第２熱交換器側に送る第２回路と第２回路に設けられた第２膨張弁と、をさらに備えている。制御部は、第１デフロスト運転と第２デフロスト運転の両方を選択的に実行可能であり、予め定められた第１デフロスト運転に関する第１開始条件を満たした場合に第１デフロスト運転を行い、第１デフロスト運転とは別に予め定められた第２デフロスト運転に関する第２開始条件を満たした場合に第２デフロスト運転を行う。
【００２２】
この冷凍装置では、予め定められた第１デフロスト運転に関する第１開始条件を満たした場合に第１デフロスト運転を行い、第１デフロスト運転とは別に予め定められた第２デフロスト運転に関する第２開始条件を満たした場合に第２デフロスト運転を行う。このため、複数の第１熱源側熱交換器と第２熱源側熱交換器の着霜の状況に応じて必要な部分を集中的にデフロストすることが可能になる。
【発明の効果】
【００２３】
第１観点に係る冷凍装置では、第２熱源側熱交換器と複数の第１熱源側熱交換器のうち着霜が生じている部分について集中的な除霜を行うことが可能になる。
【００２４】
第２観点に係る冷凍装置では、複数の第１熱源側熱交換器におけるデフロストを行っている間も利用側熱交換器が設けられている空間の暖房を継続することが可能になる。
【００２５】
第３観点に係る冷凍装置では、第１膨張弁と第２膨張弁の２つの膨張弁の開閉制御によって、暖房運転と第１デフロスト運転を行うことが可能になる。
【００２６】
第４観点に係る冷凍装置では、第１膨張弁と第２膨張弁の２つの膨張弁の開閉制御によって、暖房運転と第２デフロスト運転を行うことが可能になる。
【００２７】
第５観点に係る冷凍装置では、第２デフロスト運転時に利用側熱交換器が設けられた空間が意図せず冷やされてしまうことを抑制することが可能になる。
【００２８】
第６観点に係る冷凍装置では、複数の第１熱源側熱交換器と第２熱源側熱交換器の着霜の状況に応じて必要な部分を集中的にデフロストすることが可能になる。
【図面の簡単な説明】
【００２９】
【図１】本発明の一実施形態に係る空気調和装置の概略構成図である。
【図２】空気調和装置の冷房運転時の概略構成図である。
【図３】図２の冷房運転時の冷凍サイクルの圧力−エンタルピ線図である。
【図４】空気調和装置の暖房運転時の概略構成図である。
【図５】図４の暖房運転時の冷凍サイクルの圧力−エンタルピ線図である。
【図６】空気調和装置のインタークーラデフロスト運転時の概略構成図である。
【図７】図６のインタークーラデフロスト運転時の冷凍サイクルの圧力−エンタルピ線図である。
【図８】空気調和装置のガスクーラデフロスト運転時の概略構成図である。
【図９】図８のガスクーラデフロスト運転時の冷凍サイクルの圧力−エンタルピ線図である。
【発明を実施するための形態】
【００３０】
本発明の一実施形態に係る冷凍装置である空気調和装置１について、以下、図面を参照しながら説明する。
【００３１】
（１）空気調和装置の構成
図１、図２および図４は、空気調和装置１の概略構成図である。このうち、図２は、冷房運転時において冷媒回路を循環する冷媒の流れを表しており、図４は、暖房運転時において冷媒回路を循環する冷媒の流れを表している。図６は、インタークーラデフロスト運転（第１デフロスト運転）時において冷媒回路を循環する冷媒の流れを表している。図８は、ガスクーラデフロスト運転（第２デフロスト運転）時において冷媒回路を循環する冷媒の流れを表している。
【００３２】
空気調和装置１は、超臨界状態の二酸化炭素冷媒を使用して四段圧縮冷凍サイクルを行う冷凍装置である。空気調和装置１は、熱源ユニットである室外ユニット１１と、利用ユニットである複数の室内ユニット１２、１３（第１室内ユニット１２および第２室内ユニット１３を含む）とが、液冷媒連絡配管１４およびガス冷媒連絡配管１５によって結ばれた装置であり、冷房運転サイクルと暖房運転サイクルとインタークーラデフロスト運転サイクルとガスクーラデフロスト運転サイクルとが切り換わる冷媒回路を有する。
【００３３】
空気調和装置１の冷媒回路は、主として、四段圧縮機２０、四路切換弁群２５（第１〜第４四路切換弁２６〜２９）、室外熱交換器４０、第１室外膨張弁４７、第２室外膨張弁４８、ブリッジ回路４９、エコノマイザ回路５０、液ガス熱交回路６０、膨張機構７０、分離ガス配管８０、レシーバ８１、過冷却回路９０、第１室内熱交換器１２ａ、第２室内熱交換器１３ａ、第１室内膨張弁１２ｂ、第２室内膨張弁１３ｂおよび制御部７を備えている。なお、室外熱交換器４０は、第１室外熱交換器４１、第２室外熱交換器４２、第３室外熱交換器４３および第４室外熱交換器４４から構成されている。
【００３４】
以下、冷媒回路の各構成要素を詳細に説明する。
【００３５】
（１−１）四段圧縮機
四段圧縮機２０は、密閉容器内に、第１圧縮部２１、第２圧縮部２２、第３圧縮部２３、第４圧縮部２４および圧縮機駆動モータ（図示せず）が収容された、密閉式の圧縮機である。圧縮機駆動モータは、駆動軸を介して、４つの圧縮部２１〜２４を駆動する。すなわち、四段圧縮機２０は、４つの圧縮部２１〜２４が単一の駆動軸に連結された一軸四段の圧縮構造を有している。四段圧縮機２０では、第１圧縮部２１、第２圧縮部２２、第３圧縮部２３および第４圧縮部２４が、この順番で直列に配管接続される。第１圧縮部２１は、第１吸入管２１ａから冷媒を吸い込み、第１吐出管２１ｂへと冷媒を吐出する。なお、第１吸入管２１ａには、流れる冷媒の吸入圧力を検出するための吸入圧力センサ２１ｐが設けられている。第２圧縮部２２は、第２吸入管２２ａから冷媒を吸い込み、第２吐出管２２ｂへと冷媒を吐出する。第２吸入管２２ａには、第１四路切換弁２６から第２圧縮部２２の吸入側に向かう冷媒流れのみを許容する逆止構造が設けられている。第３圧縮部２３は、第３吸入管２３ａから冷媒を吸い込み、第３吐出管２３ｂへと冷媒を吐出する。第３吸入管２３ａには、第２四路切換弁２７から第３圧縮部２３の吸入側に向かう冷媒流れのみを許容する逆止構造が設けられている。第４圧縮部２４は、第４吸入管２４ａから冷媒を吸い込み、第４吐出管２４ｂへと冷媒を吐出する。第４吸入管２４ａには、第３四路切換弁２８から第４圧縮部２４の吸入側に向かう冷媒流れのみを許容する逆止構造が設けられている。なお、第４吐出管２４ｂには、流れる冷媒の吐出圧力を検出する吐出圧力センサ２４ｐが設けられている。
【００３６】
第１圧縮部２１は、最下段の圧縮機構であり、冷媒回路を流れる最も低圧の冷媒を圧縮する。第２圧縮部２２は、第１圧縮部２１によって圧縮された冷媒を吸い込んで圧縮する。第３圧縮部２３は、第２圧縮部２２によって圧縮された冷媒を吸い込んで圧縮する。第４圧縮部２４は、最上段の圧縮機構であり、第３圧縮部２３によって圧縮された冷媒を吸い込んで圧縮する。第４圧縮部２４によって圧縮され第４吐出管２４ｂへと吐出された冷媒は、冷媒回路を流れる最も高圧の冷媒となる。
【００３７】
なお、本実施形態において、各圧縮部２１〜２４は、ロータリー式やスクロール式などの容積式の圧縮機構である。また、圧縮機駆動モータは、制御部７によってインバータ制御される。
【００３８】
（１−２）四路切換弁群
四路切換弁群２５は、第１四路切換弁２６、第２四路切換弁２７、第３四路切換弁２８および第４四路切換弁２９によって構成されている。四路切換弁群２５は、冷媒回路内における冷媒の流れの方向を切り換えて、冷房運転サイクルと暖房運転サイクルとインタークーラデフロスト運転サイクルとガスクーラデフロスト運転サイクルとを切り換えるために設けられている。
【００３９】
第１四路切換弁２６の４つのポートは、第１吐出管２１ｂ、第２吸入管２２ａ、第１配管４１ａ、および、四路接続配管３０と接続されている。第１配管４１ａは、第１四路切換弁２６と第１室外熱交換器４１とを結ぶ配管である。この第１配管４１ａには、通過する冷媒温度を検知するための第３温度センサ４１ｔが設けられている。
【００４０】
四路接続配管３０は、暖房運転時には低圧冷媒を低圧冷媒配管１９まで導く配管である。低圧冷媒配管１９は、室外ユニット１１内の低圧のガス冷媒が流れる冷媒配管であり、液ガス熱交換器６１を介して第１吸入管２１ａに冷媒を送る。
【００４１】
第２四路切換弁２７は、第２吐出管２２ｂ、第３吸入管２３ａ、第２配管４２ａ、および、第１インタークーラ管４１ｃと接続されている。第２配管４２ａは、第２四路切換弁２７と第２室外熱交換器４２とを結ぶ配管である。第１インタークーラ管４１ｃは、冷房運転時やデフロスト運転時の接続状態において、第３吸入管２３ａと連通しつつ第２吸入管２２ａとも連通するように接続される配管であり、後述する第５配管４１ｂの一端が途中で接続されている。
【００４２】
第３四路切換弁２８は、第３吐出管２３ｂ、第４吸入管２４ａ、第３配管４３ａ、および、第２インタークーラ管４２ｃと接続されている。第３配管４３ａは、第３四路切換弁２８と第３室外熱交換器４３とを結ぶ配管である。第２インタークーラ管４２ｃは、冷房運転時やインタークーラデフロスト運転サイクルの接続状態において、第４吸入管２４ａと連通しつつ第３吸入管２３ａとも連通するように接続される配管であり、後述する第６配管４２ｂの一端が途中で接続されている。
【００４３】
第４四路切換弁２９は、第４吐出管２４ｂ、ガス冷媒連絡配管１５、第４配管４４ａ、および、低圧冷媒配管１９と接続されている。第４配管４４ａは、第４四路切換弁２９と第４室外熱交換器４４とを結ぶ配管である。この第４配管４４ａには、通過する冷媒温度を検知するための第２温度センサ４４ｔ２が設けられている。
【００４４】
図２に示すように、冷房運転時には、四路切換弁群２５は、制御部７によって切換制御されることで、四段圧縮機２０によって圧縮された冷媒の熱を放熱させる放熱器（冷媒の冷却器）として室外熱交換器４０（第１〜第４室外熱交換器４１〜４４）を機能させ、かつ、膨張機構７０および第１室内膨張弁１２ｂ、第２室内膨張弁１３ｂを通過して膨張した冷媒の蒸発器（冷媒の加熱器）として第１室内熱交換器１２ａ、第２室内熱交換器１３ａを機能させる切換状態となる。ここで、冷房運転時には、第１〜第４室外熱交換器４１〜４４は、冷媒流れ方向に対して互いに直列に接続された状態になる。
【００４５】
図４に示すように、暖房運転時には、四路切換弁群２５は、制御部７によって切換制御されることで、四段圧縮機２０によって圧縮された冷媒の熱を放熱させる放熱器（冷媒の冷却器）として第１室内熱交換器１２ａおよび第２室内熱交換器１３ａを機能させ、かつ、膨張機構７０と第１室外膨張弁４７と第２室外膨張弁４８を通過して膨張した冷媒の蒸発器（冷媒の加熱器）として室外熱交換器４０（第１〜第４室外熱交換器４１〜４４）を機能させる切換状態となる。ここで、暖房運転時には、第４室外熱交換器４４と、第１〜第３室外熱交換器４１〜４３とは、冷媒流れ方向に対して互いに並列に接続された状態になり、第１〜第３室外熱交換器４１〜４３は冷媒流れ方向において互いに直列に接続された状態になる。
【００４６】
図６に示すように、インタークーラデフロスト運転時には、四路切換弁群２５は、制御部７によって切換制御されることで、第１圧縮部２１から吐出された冷媒を第１室外熱交換器４１に送ってデフロストを行い、第２圧縮部２２から吐出された冷媒を第２室外熱交換器４２に送ってデフロストを行い、第３圧縮部２３から吐出された冷媒を第３室外熱交換器４３に送ってデフロストを行い、第４圧縮部２４から吐出された冷媒の熱を放熱させる放熱器（冷媒の冷却器）として第１室内熱交換器１２ａおよび第２室内熱交換器１３ａを機能させ、かつ、膨張機構７０と第２室外膨張弁４８を通過して膨張した冷媒の蒸発器（冷媒の加熱器）として第４室外熱交換器４４を機能させる切換状態となる。具体的には、四路切換弁群２５のうち第１〜第３四路切換弁２６〜２８が冷房運転と同様の接続状態となり、第４四路切換弁２９のみが暖房運転と同様の接続状態となる。なお、インタークーラデフロスト運転時には、第４室外熱交換器４４におけるデフロストは行われない。ここで、インタークーラデフロスト運転時には、室外熱交換器４０のうち第４室外熱交換器４４を除いた第１〜第３室外熱交換器４１〜４３は、冷媒流れ方向に対して互いに直列に接続された状態となる。
【００４７】
図８に示すように、ガスクーラデフロスト運転時には、四路切換弁群２５は、制御部７によって切換制御されることで、第１圧縮部２１から吐出された冷媒は第１室外熱交換器４１に送られることなく第２圧縮部２２の吸入側に送られ、第２圧縮部２２から吐出された冷媒は第２室外熱交換器４２に送られることなく第３圧縮部２３の吸入側に送られ、第３圧縮部２３から吐出された冷媒は第３室外熱交換器４３に送られることなく第４圧縮部２４の吸入側に送られ、第４圧縮部２４から吐出された冷媒は第４室外熱交換器４４に送られることでデフロストが行われる。また、第１〜第３室外熱交換器４１〜４３は、膨張機構７０と第１室外膨張弁４７を通過して膨張した冷媒の蒸発器（冷媒の加熱器）として機能するようになる。具体的には、四路切換弁群２５のうち第１〜第３四路切換弁２６〜２８が暖房運転と同様の接続状態となり、第４四路切換弁２９のみが冷房運転と同様の接続状態となる。なお、ガスクーラデフロスト運転時には、第１〜第３室外熱交換器４１〜４３のデフロストは行われない。ここで、ガスクーラデフロスト運転時には、室外熱交換器４０のうち第４室外熱交換器４４を除いた第１〜第３室外熱交換器４１〜４３は、冷媒流れ方向に対して互いに直列に接続された状態となる。
【００４８】
（１−３）油戻し回路構成
第１配管４１ａ、第２配管４２ａ、第３配管４３ａの途中には、それぞれ第１〜第３油分離器３１ａ、３２ａ、３３ａが設けられている。第１〜第３油分離器３１ａ、３２ａ、３３ａは、冷媒回路を循環する冷媒に含まれる潤滑油を分離する小容器である。第１〜第３油分離器３１ａ、３２ａ、３３ａの下部からは、それぞれ第１〜第３キャピラリーチューブ３１ｃ、３２ｃ、３３ｃを含む第１〜第３油戻し管３１ｂ、３２ｂ、３３ｂが伸びている。ここで、第１油戻し管３１ｂは、第２吸入管２２ａに冷凍機油を戻すように接続されている。なお、第１油戻し管３１ｂには、第１油分離器３１ａと第１四路切換弁２６との間に向かう冷凍機油の流れおよび第２吸入管２２ａ側に向かう冷凍機油の流れを許容するように逆止構造が設けられている。第２油戻し管３２ｂは、第３吸入管２３ａの途中に冷凍機油を戻すように接続されている。なお、第２油戻し管３２ｂには、第２油分離器３２ａと第２四路切換弁２７との間に向かう冷凍機油の流れおよび第３吸入管２３ａ側に向かう冷凍機油の流れを許容するように逆止構造が設けられている。第３油戻し管３３ｂは、第４吸入管２４ａの途中に冷凍機油を戻すように接続されている。なお、第３油戻し管３３ｂには、第３油分離器３３ａと第３四路切換弁２８との間に向かう冷凍機油の流れおよび第４吸入管２４ａ側に向かう冷凍機油の流れを許容するように逆止構造が設けられている。
【００４９】
第４吐出管２４ｂの途中には、第４油分離器３４ａが設けられている。第４油分離器３４ａは、冷媒回路を循環する冷媒に含まれる潤滑油を分離する小容器である。第４油分離器３４ａの下部からは、第４キャピラリーチューブ３４ｃを含む第４油戻し管３４ｂが伸びている。第４油戻し管３４ｂは、第１吸入管２１ａの途中に接続されている。
【００５０】
これにより、各第１〜第４油分離器３１ａ、３２ａ、３３ａ、３４ａにおいて冷媒から分離された潤滑油は、四段圧縮機２０へと戻される。
【００５１】
（１−４）室外熱交換器およびインタークーラ管
室外熱交換器４０は、上述のように、第１室外熱交換器４１、第２室外熱交換器４２、第３室外熱交換器４３および第４室外熱交換器４４から構成されている。冷房運転時時には、第１〜第３室外熱交換器４１〜４３が、圧縮途中の冷媒（中間圧冷媒）を冷やすインタークーラとして機能し、第４室外熱交換器４４が、最も高圧の冷媒を冷やすガスクーラ（冷媒の熱を放熱する放熱器）として機能する。第４室外熱交換器４４は、第１〜第３室外熱交換器４１〜４３よりも容量が大きい。また、暖房運転時には、第１〜第４室外熱交換器４１〜４４の全てが、低圧の冷媒の蒸発器（加熱器）として機能する。
【００５２】
なお、室外熱交換器４０は設置状態において上下方向に延びており、第４室外熱交換器４４は、第１〜第３室外熱交換器４１〜４３の鉛直上方に配置されている。
【００５３】
この室外熱交換器４０には、室外送風ファン４５からの空気流れが供給される。ここで、室外送風ファン４５による空気流れ方向の室外熱交換器４０に対する風上側には、室外の気温を検知する外気温度センサ４６が設けられている。
【００５４】
ここで、第１室外熱交換器４１の第１配管４１ａとは反対側には、第５配管４１ｂが接続されている。この第５配管４１ｂの第１室外熱交換器４１側とは反対側の端部は、第１インタークーラ管４１ｃの途中と接続されている。すなわち、冷房運転時の接続状態において、第３吸入管２３ａと連通しつつ第２吸入管２２ａとも連通するように接続される第１インタークーラ管４１ｃの途中に第５配管４１ｂの一端が接続されている。なお、第１インタークーラ管４１ｃには、第５配管４１ｂとの接続部分と第２吸入管２２ａとの接続部分との間において、第２吸入管２２ａ側に向かう冷媒流れのみを許容する逆止構造が設けられている。
【００５５】
第２室外熱交換器４２の第２配管４２ａとは反対側には、第６配管４２ｂが接続されている。この第６配管４２ｂの第２室外熱交換器４２側とは反対側の端部は、第２インタークーラ管４２ｃの途中と接続されている。すなわち、冷房運転時の接続状態において、第４吸入管２４ａと連通しつつ第３吸入管２３ａとも連通するように接続される第２インタークーラ管４２ｃの途中に第６配管４２ｂの一端が接続されている。なお、第２インタークーラ管４２ｃには、第６配管４２ｂとの接続部分と第３吸入管２３ａとの接続部分との間において、第３吸入管２３ａ側に向かう冷媒流れのみを許容する逆止構造が設けられている。
【００５６】
第３室外熱交換器４３の第３配管４３ａとは反対側には、第７配管４３ｂが接続されている。この第７配管４３ｂには、通過する冷媒温度を検知するための第４温度センサ４３ｔが設けられている。この第７配管４３ｂの第３室外熱交換器４３側とは反対側の端部は、第３インタークーラ管４３ｃおよび共通配管４７ａと接続されている。第３インタークーラ管４３ｃは、第７配管４３ｂとの接続部分とは反対側の端部が、第４吸入管２４ａと接続されている。この第３インタークーラ管４３ｃには、第４吸入管２４ａ側に向かう冷媒流れのみを許容する逆止構造が設けられている。共通配管４７ａは、後述する過冷却冷媒配管８４の途中に接続されている。この共通配管４７ａの途中には、第１室外膨張弁４７が設けられている。
【００５７】
なお、第４室外熱交換器４４の第４配管４４ａとは反対側には、第８配管４４ｂが接続されている。第８配管４４ｂは、後述するブリッジ回路４９のうちの第２室外膨張弁４８と第３逆止弁４９ｃとの間に接続されている。この第８配管４４ｂには、通過する冷媒温度を検知するための第１温度センサ４４ｔ１が設けられている。
【００５８】
（１−５）第１室外膨張弁と第２室外膨張弁
第１室外膨張弁４７は、上述のように、第３室外熱交換器４３から延びた第７配管４３ｂの端部と過冷却冷媒配管８４の途中とを接続している共通配管４７ａの途中に設けられている。共通配管４７ａは、過冷却冷媒配管８４を介して、ブリッジ回路４９の第２室外膨張弁４８と第１逆止弁４９ａとの間に接続されている。
【００５９】
第２室外膨張弁４８は、暖房運転時に、過冷却冷媒配管８４を流れた後、第８配管４４ｂに向かおうとする冷媒を、ブリッジ回路４９において減圧することができるように設けられている。
【００６０】
冷房運転時は、制御部７の制御によって、第１室外膨張弁４７、第２室外膨張弁４８は閉じられる。
【００６１】
暖房運転時は、制御部７の制御によって、第１室外膨張弁４７、第２室外膨張弁４８は、ブリッジ回路４９から第１〜第４室外熱交換器４１〜４４への冷媒の流れが偏流しないように開度調整が為され、それぞれ膨張機構としての役割も果たす。
【００６２】
インタークーラデフロスト運転時は、後述するように、制御部７の制御によって、第１室外膨張弁４７は全閉状態とされ、第２室外膨張弁４８の開度制御により減圧程度が調節される。
【００６３】
ガスクーラデフロスト運転時は、後述するように、制御部７の制御によって、第２室外膨張弁４８は全閉状態とされ、第１室外膨張弁４７の開度制御により減圧程度が調節される。
【００６４】
（１−６）ブリッジ回路
ブリッジ回路４９は、第１逆止弁４９ａ、第２逆止弁４９ｂ、第３逆止弁４９ｃ、および、第２室外膨張弁４８が順に接続され、第１逆止弁４９ａと第２室外膨張弁４８とが接続された回路を構成している。第１逆止弁４９ａは、第２室外膨張弁４８側とは反対側に向かう冷媒流れのみを許容する。第３逆止弁４９ｃは、第２室外膨張弁４８側とは反対側に向かう冷媒流れのみを許容する。第２逆止弁４９ｂは、第１逆止弁４９ａ側に向かう冷媒流れは許容せず、第３逆止弁４９ｃ側に向かう冷媒流れのみを許容する。
【００６５】
ブリッジ回路４９の第１逆止弁４９ａと第２室外膨張弁４８との間には、共通配管４７ａと、過冷却冷媒配管８４と、が合流した配管が接続されている。ブリッジ回路４９の第３逆止弁４９ｃと第２室外膨張弁４８との間には、第４室外熱交換器４４から延びた第８配管４４ｂが接続されている。ブリッジ回路４９の第１逆止弁４９ａと第２逆止弁４９ｂとの間には、第１室内ユニット１２、第２室内ユニット１３から伸び出している液冷媒連絡配管１４が接続されている。ブリッジ回路４９の第２逆止弁４９ｂと第３逆止弁４９ｃとの間には、エコノマイザ回路５０のエコノマイザ熱交換器５１側に向けて延びる冷媒配管が接続されている。
【００６６】
（１−７）エコノマイザ回路５０
エコノマイザ回路５０は、ブリッジ回路４９の第２逆止弁４９ｂと第３逆止弁４９ｃとの間の部分と、液ガス熱交換器６１もしくは膨張機構７０と、の間に設けられている。エコノマイザ回路５０は、エコノマイザ熱交換器５１と、エコノマイザインジェクション配管５３と、エコノマイザ膨張弁５２を有している。
【００６７】
エコノマイザインジェクション配管５３は、ブリッジ回路４９の第２逆止弁４９ｂと第３逆止弁４９ｃとの間の部分とエコノマイザ熱交換器５１の手前の部分との間から分岐して延びだしており、第２インタークーラ管４２ｃの第２インタークーラ用逆止弁の下流側に接続されている。
【００６８】
エコノマイザ膨張弁５２は、エコノマイザインジェクション配管５３の途中であって、分岐後にエコノマイザ熱交換器５１に流入する前の部分に設けられている。
【００６９】
エコノマイザ熱交換器５１は、ブリッジ回路４９から液ガス熱交換器６１もしくは膨張機構７０に向かう臨界圧力を超えた高圧の冷媒と、エコノマイザインジェクション配管５３に分岐してエコノマイザ膨張弁５２で膨張させた中間圧の冷媒と、の間で熱交換を行わせる。
【００７０】
このエコノマイザ膨張弁５２において膨張し、エコノマイザ熱交換器５１で蒸発した冷媒は、第２インタークーラ管４２ｃを流れる冷媒と合流することで、第３吸入管２３ａから第３圧縮部２３へ吸い込まれる冷媒を冷やす。
【００７１】
（１−８）液ガス熱交回路
液ガス熱交回路６０は、エコノマイザ熱交換器５１と膨張機構７０の間に設けられており、液ガス熱交換器６１を有している。
【００７２】
液ガス熱交換器６１は、ブリッジ回路４９から膨張機構７０にと向かう臨界圧力を超えた高圧の冷媒と、過冷却インジェクション配管９３を流れる低圧冷媒と低圧冷媒配管１９を流れる低圧冷媒とが合流点６５で合流した低圧冷媒である合流冷媒と、の間で熱交換を行わせる。なお、液ガス熱交換器６１は、内部熱交換器と称してもよい。
【００７３】
なお、過冷却インジェクション配管９３を流れる低圧冷媒と低圧冷媒配管１９を流れる低圧冷媒とが合流点６５で合流した後に液ガス熱交換器６１に向かって流れている合流冷媒の冷媒温度を検出する合流冷媒温度センサ６４ｔが、液ガス熱交換器６１の低圧冷媒入口側に設けられている。
【００７４】
（１−９）膨張機構
膨張機構７０は、エコノマイザ熱交換器５１もしくは液ガス熱交換器６１から流れてきた高圧の冷媒を減圧・膨張させ、気液二相状態の中間圧の冷媒をレシーバ８１へと流す。すなわち、冷房運転時には、膨張機構７０は、高圧冷媒のガスクーラ（放熱器）として機能する室外の第４室外熱交換器４４から低圧冷媒の蒸発器として機能する第１室内熱交換器１２ａ、第２室内熱交換器１３ａに向けて送られる冷媒を減圧する。また、暖房運転時には、膨張機構７０は、高圧冷媒の放熱器として機能する第１室内熱交換器１２ａ、第２室内熱交換器１３ａから低圧冷媒の蒸発器として機能する室外熱交換器４０に向けて送られる冷媒を減圧する。
【００７５】
膨張機構７０は、膨張機７１と第３室外膨張弁７２とが並列に接続されることで構成されている。膨張機７１は、冷媒の減圧過程の絞り損失を有効な仕事（エネルギー）として回収する役割を果たす。
【００７６】
なお、膨張機構７０とレシーバ８１との間には、冷媒の温度を中間温度センサ７０ｔが設けられている。この中間温度センサ７０ｔが中間圧力の飽和温度を検知するため、制御部７は、当該中間温度センサ７０ｔの検出温度から相当飽和圧力である中間圧力を把握することができる。
【００７７】
（１−１０）レシーバ
レシーバ８１は、膨張機構７０を出た気液二相状態の中間圧の冷媒を、天井面から内部空間に流入させ、液冷媒とガス冷媒とに分離する。
【００７８】
レシーバ８１において分離された液冷媒は、レシーバ８１の下方から延び出している液冷媒出口管８３を介して、過冷却回路９０に送られる。
【００７９】
レシーバ８１において分離されてレシーバ８１の上方から延び出している分離ガス配管８０を通過したガス冷媒は、後述する過冷却回路９０の過冷却インジェクション配管９３を流れる冷媒と合流する。この分離ガス配管８０の途中には、分離ガス膨張弁８２が設けられている。分離ガス配管８０を流れる冷媒は、レシーバ８１において液冷媒が分離されたガス冷媒であって、分離ガス膨張弁８２によって減圧されることで低圧のガスリッチな冷媒となった後、過冷却インジェクション配管９３に送られる。
【００８０】
（１−１１）過冷却回路
過冷却回路９０は、レシーバ８１と、ブリッジ回路４９の第１逆止弁４９ａと第２室外膨張弁４８の間の部分と、の間に設けられている。過冷却回路９０は、過冷却熱交換器９１と、過冷却インジェクション配管９３と、過冷却膨張弁９２と、を有している。
【００８１】
レシーバ８１から延びている液冷媒出口管８３を流れた冷媒は、過冷却熱交換器９１に向かう冷媒と、分流して過冷却インジェクション配管９３を流れる冷媒とに分けられる。過冷却インジェクション配管９３は、液冷媒出口管８３の途中から分岐して、合流点６５において低圧冷媒配管１９と接続されている。過冷却インジェクション配管９３の途中であって、液冷媒出口管８３から分岐した部分と、分離ガス配管８０が接続されている部分と、の間に過冷却膨張弁９２が設けられている。
【００８２】
冷房運転時には、制御部７が過冷却膨張弁９２および分離ガス膨張弁８２の制御を行って、過冷却インジェクション配管９３の過冷却膨張弁９２で減圧されて気液二相状態となった冷媒と、分離ガス配管８０の分離ガス膨張弁８２において減圧された冷媒と、を合流させ、過冷却インジェクション配管９３を流れて過冷却熱交換器９１に流入させる。過冷却熱交換器９１では、過冷却インジェクション配管９３を流れる低圧のガス冷媒と、液冷媒出口管８３から送られてきて過冷却冷媒配管８４へと進んでいく中間圧の液冷媒と、の間で熱交換を行わせる。過冷却熱交換器９１から過冷却冷媒配管８４へと流れていく冷媒は、過冷却度が増した状態となっている。過冷却冷媒配管８４には、通過する冷媒の温度を検出するための過冷却温度センサ９０ｔが設けられている。過冷却インジェクション配管９３を流れる冷媒であって、過冷却熱交換器９１を通過した後の冷媒は、過熱が付いた状態となっており、低圧冷媒配管１９の合流点６５に向けて送られる。
【００８３】
暖房運転時には、制御部７は、過冷却膨張弁９２を閉止状態とするため、過冷却インジェクション配管９３のうち液冷媒出口管８３と接続されている部分と分離ガス配管８０と接続されている部分との間には冷媒が流れないが、レシーバ８１の液冷媒出口管８３を流れる中間圧の液冷媒と、分離ガス膨張弁８２で減圧された低圧冷媒とが、過冷却熱交換器９１において熱交換を行うことになる。
【００８４】
（１−１２）室内熱交換器
第１室内熱交換器１２ａは、第１室内ユニット１２に設けられている。第２室内熱交換器１３ａは、第２室内ユニット１３に設けられている。
【００８５】
第１室内熱交換器１２ａおよび第２室内熱交換器１３ａは、冷房運転時には冷媒の蒸発器として機能し（冷媒の加熱器として機能し）、暖房運転時には冷媒の冷却器として機能する（冷媒の放熱器として機能する）。これらの第１室内熱交換器１２ａおよび第２室内熱交換器１３ａには、内部を流れる冷媒と熱交換を行う冷房対象あるいは暖房対象として、水や空気が流される。ここでは、第１室内熱交換器１２ａおよび第２室内熱交換器１３ａに対して室内空気流れを供給するための第１室内送風ファン１２ｃおよび第２室内送風ファン１３ｃがそれぞれに対応するように設けられている。なお、各室内送風ファンの風量は、空調対象空間で要求される負荷処理のために、個別に風量が制御される。
【００８６】
第１室内熱交換器１２ａの一端は第１室内膨張弁１２ｂに接続されている。第２室内熱交換器１３ａの一端は第２室内膨張弁１３ｂに接続されている。第１室内熱交換器１２ａの他端および第２室内熱交換器１３ａの他端は合流しており、当該合流した部分はガス冷媒連絡配管１５に接続されている。
【００８７】
第１室内熱交換器１２ａの第１室内膨張弁１２ｂ側とは反対側には、通過する冷媒の温度を検知する第１室内温度センサ１２ｔが設けられている。第２室内熱交換器１３ａの第２室内膨張弁１３ｂ側とは反対側には、通過する冷媒の温度を検知する第２室内温度センサ１３ｔが設けられている。
【００８８】
（１−１３）室内膨張弁
第１室内膨張弁１２ｂは、第１室内ユニット１２に設けられている。この第１室内膨張弁１２ｂは、第１室内熱交換器１２ａに流す冷媒の量を調整したり冷媒の減圧・膨張を行ったりする。第１室内膨張弁１２ｂは、液冷媒連絡配管１４と第１室内熱交換器１２ａとの間に配置されている。
【００８９】
第２室内膨張弁１３ｂは、第２室内ユニット１３に設けられている。この第２室内膨張弁１３ｂは、第２室内熱交換器１３ａに流す冷媒の量を調整したり冷媒の減圧・膨張を行ったりする。第２室内膨張弁１３ｂは、液冷媒連絡配管１４と第２室内熱交換器１３ａとの間に配置されている。
【００９０】
（１−１４）制御部
制御部７は、室外ユニット１１および第１室内ユニット１２、第２室内ユニット１３の電子部品が実装された各制御基板が通信線で結ばれて構成されているもので、四段圧縮機２０の圧縮機駆動モータや四路切換弁群２５、各膨張弁１２ｂ，１３ｂ，４７，４８，５２，７２，８２，９２等と接続される。この制御部７は、外部から入力された室内設定温度、第１温度センサ４４ｔ１、第２温度センサ４４ｔ２、第３温度センサ４１ｔ、第４温度センサ４３ｔ、第１室内温度センサ１２ｔ、第２室内温度センサ１３ｔ、過冷却温度センサ９０ｔ、中間温度センサ７０ｔ、合流冷媒温度センサ６４ｔ、吸入圧力センサ２１ｐ、吐出圧力センサ２４ｐ、および、図示しない温度センサや圧力センサの計測値などの情報に基づいて、圧縮機駆動モータの回転数制御や膨張弁開度の調節や第１室内送風ファン１２ｃ、第２室内送風ファン１３ｃ、室外送風ファン４５の風量調節などを行う。
【００９１】
制御部７は、冷房運転モード、暖房運転モード、インタークーラデフロスト運転モード、および、ガスクーラデフロスト運転モードを有しており、いずれかの運転を選択的に行う。
【００９２】
（２）空気調和装置の動作
空気調和装置１の動作について、図２〜図７を参照しながら説明する。
【００９３】
図３は、冷房運転における冷凍サイクルの圧力−エンタルピ線図（ｐ−ｈ線図）である。図５は、暖房運転における冷凍サイクルの圧力−エンタルピ線図（ｐ−ｈ線図）である。図７は、インタークーラデフロスト運転における冷凍サイクルの圧力−エンタルピ線図（ｐ−ｈ線図）である。図９は、ガスクーラデフロスト運転における冷凍サイクルの圧力−エンタルピ線図（ｐ−ｈ線図）である。これらの各図において、上に凸の一点鎖線で示す曲線は、冷媒の飽和液線および乾き飽和蒸気線である。また、各図において、冷凍サイクル上の英文字が付された点は、それぞれ、図２、図４、図６および図８において同じ英文字で表される点における冷媒の圧力およびエンタルピを表している。例えば、図２の点Ｂにおける冷媒は、図３の点Ｂにおける圧力およびエンタルピの状態になっている。なお、空気調和装置１の冷房運転、暖房運転、インタークーラデフロスト運転およびガスクーラデフロスト運転における各運転制御は、制御部７によって行われる。
【００９４】
（２−１）冷房運転モード時の動作
冷房運転時は、図２に示す冷媒配管に沿った矢印の方向に、冷媒が循環する。すなわち、四段圧縮機２０、室外熱交換器４０、膨張機構７０、第１室内膨張弁１２ｂ、第２室内膨張弁１３ｂ、第１室内熱交換器１２ａ、第２室内熱交換器１３ａの順に冷媒回路内を循環する。以下、冷房運転時における空気調和装置１の動作について、図２および図３を参照しながら説明する。
【００９５】
なお、冷房運転モードは、図示しないリモコン等から冷房運転開始の指示を受けた場合に、制御部７が四路切換弁群２５の接続状態を冷房運転の状態に切り換えて運転を行う。
【００９６】
第１吸入管２１ａから四段圧縮機２０に吸い込まれる低圧のガス冷媒（点Ａ）は、第１圧縮部２１で圧縮されて、第１吐出管２１ｂへと吐出される（点Ｂ）。吐出された冷媒は、第１四路切換弁２６を通過し、インタークーラ（中間冷却器）として機能する第１室外熱交換器４１で冷却された後、第１インタークーラ管４１ｃを介して第２吸入管２２ａに流れ込む（点Ｃ）。
【００９７】
第２吸入管２２ａから第２圧縮部２２に吸い込まれた冷媒は、圧縮されて第２吐出管２２ｂに吐出される（点Ｄ）。吐出された冷媒は、第２四路切換弁２７を通過し、インタークーラとして機能する第２室外熱交換器４２で冷却された後、第２インタークーラ管４２ｃに流れる（点Ｅ）。第２インタークーラ管４２ｃを流れる冷媒は、エコノマイザ熱交換器５１において熱交換されてインジェクション配管５３を流れてくる中間圧の冷媒（点Ｌ）と合流した後、第３吸入管２３ａに流れ込む（点Ｆ）。
【００９８】
第３吸入管２３ａから第３圧縮部２３に吸い込まれた冷媒は、圧縮されて第３吐出管２３ｂに吐出される（点Ｇ）。吐出された冷媒は、第３四路切換弁２８を通過し、インタークーラとして機能する第３室外熱交換器４３で冷却された後、第３インタークーラ管４３ｃを介して第４吸入管２４ａに流れ込む（点Ｈ）。
【００９９】
第４吸入管２４ａから第４圧縮部２４に吸い込まれた冷媒は、圧縮されて第４吐出管２４ｂに吐出される（点Ｉ）。吐出された高圧の冷媒は、臨界圧力を超えた超臨界状態となっている。この超臨界状態の冷媒は、第４四路切換弁２９を通過し、ガスクーラとして機能する第４室外熱交換器４４で冷却され、ブリッジ回路４９の第３逆止弁４９ｃを通ってエコノマイザ熱交換器５１へと流れていく（点Ｊ）。
【０１００】
なお、上記各第１〜第４圧縮部２１〜２４の吐出冷媒圧力は、第１、第２室内熱交換器１２ａ、１３ａにおける冷房負荷を成績係数が良好な冷凍サイクルの状態で処理できるようにするため、それぞれの目標吐出圧力が実現されるように制御部７によって制御されている。
【０１０１】
ブリッジ回路４９の第３逆止弁４９ｃを通過した高圧冷媒は、その一部がエコノマイザインジェクション配管５３に分岐して流れて、エコノマイザ膨張弁５２において減圧される。エコノマイザ膨張弁５２において超臨界状態から臨界圧力以下の圧力まで減圧されて気液二相状態となった中間圧冷媒（点Ｋ）は、エコノマイザ熱交換器５１において、他の一部の冷媒（ブリッジ回路４９から液ガス熱交換器６１に向かう臨界圧力を超えている高圧冷媒（点Ｊ））と熱交換し、中間圧のガス冷媒（点Ｌ）となる。この中間圧のガス冷媒（点Ｌ）は、上述のようにインジェクション配管５３から第２インタークーラ管４２ｃへと流れ込む。
【０１０２】
エコノマイザ膨張弁５２を出た中間圧冷媒と熱交換をし、更に温度が下がった状態でエコノマイザ熱交換器５１を出た高圧冷媒（点Ｍ）は、液ガス熱交換器６１を流れ、膨張機構７０へと流れていく（点Ｎ）。なお、膨張機構７０は、膨張機７１で回収できる動力ができるだけ大きく確保できるように制御部７に制御されている。液ガス熱交換器６１では、エコノマイザ熱交換器５１を通過した臨界圧力を超えている高圧冷媒（点Ｍ）が、低圧冷媒配管１９から第１吸入管２１ａへと流れる低圧冷媒と過冷却インジェクション配管９３を流れる低圧冷媒とが合流した合流冷媒と、の間で熱交換によって冷却され、温度が下がった高圧冷媒（点Ｎ）となる。
【０１０３】
液ガス熱交換器６１を出た高圧冷媒（点Ｎ）は、２つに分岐され、一方が膨張機構７０の膨張機７１に向けて流れ、他方が膨張機構７０の第３室外膨張弁７２に向けて流れる。第３室外膨張弁７２では、超臨界状態から臨界圧力以下の圧力まで減圧されることで、中間圧冷媒（点Ｏ１）となる。また、膨張機７１においても、超臨界状態から臨界圧力以下の圧力まで減圧されることで、中間圧冷媒（点Ｏ２）となる。これら中間圧冷媒（点Ｏ１）と中間圧冷媒（点Ｏ２）は、合流した後にレシーバ８１の内部空間へと流れ込む（点Ｐ）。このレシーバ８１に流れ込んだ気液二相状態の中間圧冷媒は、レシーバ８１の内部空間において液冷媒とガス冷媒とに分離される。
【０１０４】
レシーバ８１で分離された液冷媒（点Ｑ）は、液冷媒出口管８３を流れる。液冷媒出口管８３を流れる冷媒の一部は、過冷却熱交換器９１を通過して過冷却状態となり（点Ｗ）、過冷却冷媒配管８４やブリッジ回路４９の第１逆止弁４９ａを通って（冷房運転時は第１室外膨張弁４７および第２室外膨張弁４８は全閉状態であるため）、液冷媒連絡配管１４を介して、第１室内膨張弁１２ｂ、第２室内膨張弁１３ｂへと送られる。液冷媒出口管８３を流れる冷媒の他の一部は、過冷却熱交換器９１に流入する前に、分岐して、過冷却インジェクション配管９３を流れる。過冷却インジェクション配管９３を流れる冷媒は、過冷却膨張弁９２において減圧されて気液二相状態の低圧冷媒となる（点Ｒ）。
【０１０５】
レシーバ８１で分離されたガス冷媒（点Ｓ）は、分離ガス配管８０を流れる。分離ガス配管８０を流れる冷媒は、途中の分離ガス膨張弁８２で減圧され低圧冷媒（点Ｔ）となる。なお、分離ガス膨張弁８２は、膨張機構７０の下流側に設けられている中間温度センサ７０ｔの検知飽和温度に相当する中間圧力と、第１吸入管２１ａに設けられている吸入圧力センサ２１ｐの検知圧力と、から把握される差圧に相当する差圧を分離ガス膨張弁８２の前後において生じさせることができるように弁開度（膨張程度）が、制御部７によって制御される（差圧制御が行われる）。分離ガス膨張弁８２で減圧された低圧冷媒（点Ｔ）は、さらに分離ガス配管８０を流れて、過冷却インジェクション配管９３のうち、過冷却膨張弁９２よりも下流側であって過冷却熱交換器９１よりも上流側の部分に合流する（点Ｕ）。
【０１０６】
過冷却熱交換器９１では、レシーバ８１で分離された液冷媒（点Ｑ）は、分離ガス配管８０を介して過冷却インジェクション配管９３に合流した気液二相状態の低圧冷媒（点Ｕ）との間で熱交換することで冷却され、冷却されることによって過冷却度が付いた状態になる（点Ｗ）。他方で、分離ガス配管８０を介して過冷却インジェクション配管９３に合流した気液二相状態の低圧冷媒（点Ｕ）は、過冷却熱交換器９１において、レシーバ８１で分離された液冷媒（点Ｑ）によって加熱される（点Ｖ、なお、点Ｖは過熱が付いた状態を例示しているが、運転条件や過渡的な状況によっては湿り状態になる場合がある。）。なお、過冷却膨張弁９２は、過冷却熱交換器９１を通過して過冷却冷媒配管８４を流れる冷媒の過冷却度が通常の目標過冷却度となるように（例えば、過冷却度が５度確保されるように）、過冷却膨張弁９２の弁開度（膨張程度）が、制御部７によって制御される。なお、過冷却冷媒配管８４を流れる冷媒の過冷却度は、過冷却温度センサ９０ｔの検知温度と、中間温度センサ７０ｔの検知飽和温度に相当する中間圧力とから制御部７が算定している。
【０１０７】
液冷媒連絡配管１４から第１室内ユニット１２、第２室内ユニット１３に流入した冷媒は、第１室内膨張弁１２ｂや第２室内膨張弁１３ｂを通過するときに膨張し、気液二相の低圧冷媒（点Ｘ）となって第１室内熱交換器１２ａや第２室内熱交換器１３ａに流れ込む。この低圧冷媒は、第１室内熱交換器１２ａや第２室内熱交換器１３ａで室内空気から熱を奪い、過熱のついた低圧のガス冷媒（点Ｙ）になる。なお、第１室内膨張弁１２ｂは、第１室内熱交換器１２ａの出口を流れる冷媒の過熱度が所定の設定過熱度となるように（目標蒸発出口過熱度条件を満たすように）第１室内膨張弁１２ｂの弁開度（膨張程度）が制御部７によって制御される。第２室内膨張弁１３ｂも同様に、第２室内熱交換器１３ａの出口を流れる冷媒の過熱度が所定の設定過熱度（第１室内ユニット１２と同様の値であっても異なっていてもよい。）となるように（目標蒸発出口過熱度条件を満たすように）第２室内膨張弁１３ｂの弁開度（膨張程度）が制御される。なお、第１室内熱交換器１２ａの出口を流れる冷媒の過熱度は、第１室内温度センサ１２ｔの検知温度と、吸入圧力センサ２１ｐの検知圧力とから制御部７が算定し、第２室内熱交換器１３ａの出口を流れる冷媒の過熱度は、第２室内温度センサ１３ｔの検知温度と、吸入圧力センサ２１ｐの検知圧力とから制御部７が算定している。第１室内ユニット１２や第２室内ユニット１３を出た低圧冷媒は、ガス冷媒連絡配管１５および第４四路切換弁２９を経て低圧冷媒配管１９へと流れていく。なお、第１室内熱交換器１２ａが配置されている室内の負荷の処理は、第１室内送風ファン１２ｃの風量を制御部７が調節することによって処理している。第２室内熱交換器１３ａが配置されている室内の負荷の処理についても同様に、第２室内送風ファン１３ｃの風量を制御部７が調節することによって処理している。
【０１０８】
第１室内ユニット１２や第２室内ユニット１３から戻ってきて低圧冷媒配管１９を流れる低圧冷媒（点Ｙ）と、過冷却インジェクション配管９３から流れてくる低圧冷媒（点Ｖ）とは、合流点６５で合流し（点Ｚ）、液ガス熱交換器６１の低圧側を通って第１吸入管２１ａから四段圧縮機２０へと戻っていく。なお、ここで、液ガス熱交換器６１では、四段圧縮機２０の第１吸入管２１ａに向かう低圧冷媒（点Ｚ）と、エコノマイザ熱交換器５１を通過した後に膨張機構７０へと向かう高圧冷媒（点Ｍ）との間で熱交換が行われる。
【０１０９】
以上のように冷媒が冷媒回路内を循環することにより、空気調和装置１は冷房運転サイクルを行う。
【０１１０】
（２−２）暖房運転モード時の動作
暖房運転時は、図４に示す冷媒配管に沿った矢印の方向に、冷媒が循環する。すなわち、四段圧縮機２０、第１室内熱交換器１２ａ、第２室内熱交換器１３ａ、第１室内膨張弁１２ｂ、第２室内膨張弁１３ｂ、膨張機構７０、室外熱交換器４０の順に冷媒回路内を循環する。以下、暖房運転時における空気調和装置１の動作について、図４および図５を参照しながら説明する。
【０１１１】
なお、暖房運転モードは、図示しないリモコン等から暖房運転開始の指示を受けた場合に、制御部７が四路切換弁群２５の接続状態を暖房運転の状態に切り換えて運転を行う。
【０１１２】
第１吸入管２１ａから四段圧縮機２０に吸い込まれる低圧のガス冷媒（点Ａ）は、第１圧縮部２１で圧縮されて、第１吐出管２１ｂに吐出される（点Ｂ）。吐出された冷媒は、第１四路切換弁２６を通過し、第２吸入管２２ａを流れる（点Ｃ）。
【０１１３】
第２吸入管２２ａから第２圧縮部２２に吸い込まれた冷媒は、圧縮されて第２吐出管２２ｂに吐出される（点Ｄ）。吐出された冷媒は、第２四路切換弁２７を通過し、第３吸入管２３ａを流れる。なお、第３吸入管２３ａには、エコノマイザ熱交換器５１において熱交換されてインジェクション配管５３を流れてくる中間圧の冷媒（点Ｌ）も流れ込んでくるため、冷媒の温度が下がる（点Ｆ）。
【０１１４】
第３吸入管２３ａから第３圧縮部２３に吸い込まれた冷媒は、圧縮されて第３吐出管２３ｂに吐出される（点Ｇ）。吐出された冷媒は、第３四路切換弁２８を通過し、第４吸入管２４ａを流れる（点Ｈ）。
【０１１５】
第４吸入管２４ａから第４圧縮部２４に吸い込まれた冷媒は、圧縮されて第４吐出管２４ｂに吐出される（点Ｉ）。吐出された高圧の冷媒は、臨界圧力を超えた超臨界状態となっている。この超臨界状態の冷媒は、第４四路切換弁２９を通過し、ガス冷媒連絡配管１５を介して第１室内ユニット１２や第２室内ユニット１３に流入する（点Ｙ）。
【０１１６】
ガス冷媒連絡配管１５から第１室内ユニット１２や第２室内ユニット１３に入った高圧冷媒は、冷媒の放熱器として機能する第１室内熱交換器１２ａや第２室内熱交換器１３ａで室内空気に放熱し、室内空気を暖める。なお、第１室内熱交換器１２ａが配置されている室内の負荷の処理は、第１室内送風ファン１２ｃの風量を制御部７が調節することによって処理している。第２室内熱交換器１３ａが配置されている室内の負荷の処理についても同様に、第２室内送風ファン１３ｃの風量を制御部７が調節することによって処理している。第１室内熱交換器１２ａや第２室内熱交換器１３ａでの熱交換によって温度が下がった高圧冷媒（点Ｘ）は、高圧制御が行われている第１室内膨張弁１２ｂや第２室内膨張弁１３ｂを通過する際にわずかに減圧され、液冷媒連絡配管１４を通って室外ユニット１１のブリッジ回路４９へと流れる。ブリッジ回路４９では、第２逆止弁４９ｂを通過して、エコノマイザ熱交換器５１へ向かう（点Ｊ）。
【０１１７】
ブリッジ回路４９の第２逆止弁４９ｂを通過した高圧冷媒（点Ｊ）は、その一部がエコノマイザインジェクション配管５３に分岐して流れて、エコノマイザ膨張弁５２において減圧される。エコノマイザ膨張弁５２において減圧されて気液二相状態となった中間圧冷媒（点Ｋ）は、エコノマイザ熱交換器５１において、他の一部の冷媒（ブリッジ回路４９から液ガス熱交換器６１に向かう高圧冷媒（点Ｊ））と熱交換し、中間圧のガス冷媒（点Ｌ）となる。この中間圧のガス冷媒（点Ｌ）は、上述のようにインジェクション配管５３から第２インタークーラ管４２ｃへと流れ込む。
【０１１８】
エコノマイザ膨張弁５２を出た中間圧冷媒と熱交換をし、更に温度が下がった状態でエコノマイザ熱交換器５１を出た高圧冷媒（点Ｍ）は、液ガス熱交換器６１を通過して、膨張機構７０へと流れていく（点Ｎ）。
【０１１９】
膨張機構７０に流入する高圧冷媒（点Ｎ）は、２つに分岐され、一方が膨張機構７０の膨張機７１に向けて流れ、他方が膨張機構７０の第３室外膨張弁７２に向けて流れる。第３室外膨張弁７２では、超臨界状態から臨界圧力以下の圧力まで減圧されることで、中間圧冷媒（点Ｏ１）となる。また、膨張機７１においても、超臨界状態から臨界圧力以下の圧力まで減圧されることで、中間圧冷媒（点Ｏ２）となる。なお、膨張機構７０は、膨張機７１で回収できる動力ができるだけ大きく確保できるように制御部７に制御されている。これら中間圧冷媒（点Ｏ１）と中間圧冷媒（点Ｏ２）は、合流した後にレシーバ８１の内部空間へと流れ込む（点Ｐ）。このレシーバ８１に流れ込んだ気液二相状態の中間圧冷媒は、レシーバ８１の内部空間において液冷媒とガス冷媒とに分離される。
【０１２０】
レシーバ８１で分離された液冷媒（点Ｑ）は、液冷媒出口管８３を流れる。液冷媒出口管８３を流れる冷媒は、全て、過冷却熱交換器９１を通過して過冷却状態となり（点Ｗ）、過冷却冷媒配管８４やブリッジ回路４９を通って、室外熱交換器４０へと送られる。
【０１２１】
なお、暖房運転時には、制御部７は、過冷却膨張弁９２を全閉状態に制御しているため、液冷媒出口管８３を流れる冷媒は、過冷却インジェクション配管９３に向けて分流しない。
【０１２２】
レシーバ８１で分離されたガス冷媒（点Ｓ）は、分離ガス配管８０を流れる。分離ガス配管８０を流れる冷媒は、途中の分離ガス膨張弁８２で減圧され低圧冷媒（点Ｔ）となる。なお、分離ガス膨張弁８２は、膨張機構７０の下流側に設けられている中間温度センサ７０ｔの検知飽和温度に相当する中間圧力と、第１吸入管２１ａに設けられている吸入圧力センサ２１ｐの検知圧力と、から把握される差圧に相当する差圧を分離ガス膨張弁８２の前後において生じさせることができるように弁開度（膨張程度）が、制御部７によって制御される（差圧制御が行われる）。分離ガス膨張弁８２で減圧された低圧冷媒（点Ｔ）は、さらに分離ガス配管８０を流れて、過冷却インジェクション配管９３のうち、過冷却膨張弁９２よりも下流側であって過冷却熱交換器９１よりも上流側の部分に流れ込む（点Ｕ）。
【０１２３】
過冷却熱交換器９１では、レシーバ８１の液冷媒出口管８３から流れてくる中間圧冷媒（点Ｑ）と、分離ガス膨張弁８２で減圧された低圧冷媒（点Ｔ，Ｕ）との間で熱交換が行われる。この熱交換によって、過冷却インジェクション配管９３を流れる低圧冷媒（点Ｔ、Ｕ）は、蒸発して過熱のついた低圧冷媒（点Ｖ）となって、合流点６５に向けて流れていく。レシーバ８１の液冷媒出口管８３から流れてくる中間圧冷媒（点Ｑ）は、熱を奪われて過冷却のついた中間圧冷媒（点Ｗ）となり、過冷却冷媒配管８４を介してブリッジ回路４９に向けて流れていく。
【０１２４】
過冷却冷媒配管８４をブリッジ回路４９に向けて流れる冷媒は、一部がブリッジ回路４９の手前で共通配管４７ａを流れるように分離し、他の一部がブリッジ回路４９の第２室外膨張弁４８を通過する。
【０１２５】
共通配管４７ａを流れる冷媒は、第１室外膨張弁４７で減圧されて低圧冷媒となり（点ＷＸ）、第３室外熱交換器４３、第２室外熱交換器４２、第１室外熱交換器４１の順に直列に流れていく。すなわち、第１室外膨張弁４７で減圧された冷媒は、第７配管４３ｂを介して第３室外熱交換器４３において一部が蒸発する。第３室外熱交換器４３を通過した冷媒は、第３配管４３ａ、第３四路切換弁２８、第２インタークーラ管４２ｃの一部、および、第６配管４２ｂをこの順に通過して、第２室外熱交換器４２においてさらに一部が蒸発する。第２室外熱交換器４２を通過した冷媒は、第２配管４２ａ、第２四路切換弁２７、第１インタークーラ管４１ｃの一部、および、第５配管４１ｂをこの順に通過して、第１室外熱交換器４１においてさらに一部が蒸発する。第１室外熱交換器４１を通過した冷媒は、第１配管４１ａ、第１四路切換弁２６、四路接続配管３０をこの順で通過した後、低圧冷媒配管１９へと向けて流れる。ここで、制御部７は、第３室外熱交換器４３の上流側に設けられた第４温度センサ４３ｔの検知温度と、第１室外熱交換器４１の下流側に設けられた第３温度センサ４１ｔの検知温度と、の差（４１ｔ−４３ｔ）が所定値より大きくなるように、第１室外膨張弁４７の減圧程度（弁開度）を制御する。
【０１２６】
他方、ブリッジ回路４９の第２室外膨張弁４８を通過して減圧された冷媒（点ＶＷ）は、第８配管４４ｂを流れた後に第４室外熱交換器４４において蒸発し、第４配管４４ａと第４四路切換弁２９を通過して低圧冷媒配管１９へと向けて流れる（点ＸＹ）。ここで、制御部７は、第４室外熱交換器４４の上流側に設けられた第１温度センサ４４ｔ１の検知温度と第４室外熱交換器４４の下流側に設けられた第２温度センサ４４ｔ２の検知温度との差（４４ｔ２−４４ｔ１）が、所定値（上記第１室外膨張弁４７の制御に関する所定値と同じであっても異なっていてもよい。）より大きくなるように、第２室外膨張弁４８の減圧程度（弁開度）を制御する。
【０１２７】
その後、低圧冷媒配管１９には、第１〜第４室外熱交換器４１〜４４を通過した冷媒が合流して流れる。
【０１２８】
低圧冷媒配管１９を流れる低圧のガス冷媒（点ＸＹ）は、過冷却インジェクション配管９３を流れる低圧のガス冷媒（点Ｖ）と、合流点６５において合流した後（点Ｚ）、液ガス熱交換器６１の低圧側を流れ、液ガス熱交換器６１において高圧側の冷媒と熱交換が行われる。ここで、制御部７は、低圧冷媒配管１９を流れる冷媒と過冷却インジェクション配管９３を流れる冷媒とが合流した後であって液ガス熱交換器６１に流入する前の冷媒（合流点６５を流れる冷媒）について、液ガス熱交換器６１の低圧側の下流側に設けられている合流冷媒温度センサ６４ｔの検知温度と、吸入圧力センサ２１ｐの検知圧力とを用いて、所定の過熱度が生じた状態になるように（特に限定されないが、本実施形態では過熱度が３度以上生じた状態になるように）、分離ガス膨張弁８２の弁開度を制御する。
【０１２９】
液ガス熱交換器６１の低圧側を通過した低圧のガス冷媒は、第１吸入管２１ａを介して四段圧縮機２０に吸入される（点Ａ）。
【０１３０】
以上のように冷媒が冷媒回路内を循環することにより、空気調和装置１は暖房運転サイクルを行う。
【０１３１】
（２−３）インタークーラデフロスト運転モード時の動作
インタークーラデフロスト運転時は、図６に示す冷媒配管に沿った矢印の方向に、冷媒が循環する。すなわち、第１圧縮部２１、第１室外熱交換器４１、第２圧縮部２２、第２室外熱交換器４２、第３圧縮部２３、第３室外熱交換器４３、第４圧縮部２４、第１室内熱交換器１２ａおよび第２室内熱交換器１３ａ、第１室内膨張弁１２ｂおよび第２室内膨張弁１３ｂ、膨張機構７０、第４室外熱交換器４４の順に冷媒回路内を循環する。以下、インタークーラデフロスト運転時における空気調和装置１の動作について、図６および図７を参照しながら説明する。
【０１３２】
なお、インタークーラデフロスト運転モードは、暖房運転モード実行中にインタークーラデフロスト運転開始条件を満たした場合に、制御部７が四路切換弁群２５の接続状態をインタークーラデフロスト運転の状態に切り換えて運転を行う。
【０１３３】
ここで、インタークーラデフロスト運転開始条件は、特に限定されるものではなく、例えば、第１〜第３室外熱交換器４１〜４３の熱交換の性能が所定値よりも下がった場合や、外気温度センサ４６の検知する値が所定時間以上継続して所定温度以下である場合や、起動時もしくは直前のインタークーラデフロスト運転終了時から暖房運転が所定の時間行われた場合等とすることができる。
【０１３４】
インタークーラデフロスト運転は、第１室外熱交換器４１に付着した霜を第１圧縮部２１から吐出された冷媒の熱によって取り除き、第２室外熱交換器４２に付着した霜を第２圧縮部２２から吐出された冷媒の熱によって取り除き、第３室外熱交換器４３に付着した霜を第３圧縮部２３から吐出された冷媒の熱によって取り除く運転である。
【０１３５】
第１吸入管２１ａから四段圧縮機２０に吸い込まれる低圧のガス冷媒（点Ａ）は、第１圧縮部２１で圧縮されて、第１吐出管２１ｂへと吐出される（点Ｂ）。吐出された冷媒は、第１四路切換弁２６を通過し、第１室外熱交換器４１で冷却された後（第１室外熱交換器４１に付着した霜を解凍させてデフロストを行いつつ）、第１インタークーラ管４１ｃを介して第２吸入管２２ａに流れ込む（点Ｃ）。
【０１３６】
第２吸入管２２ａから第２圧縮部２２に吸い込まれた冷媒は、圧縮されて第２吐出管２２ｂに吐出される（点Ｄ）。吐出された冷媒は、第２四路切換弁２７を通過し、第２室外熱交換器４２で冷却された後（第２室外熱交換器４２に付着した霜を解凍させてデフロストを行いつつ）、第２インタークーラ管４２ｃに流れ（点Ｅ）、エコノマイザ回路５０を流れる冷媒（点Ｌ）と合流し、合流後の冷媒（点Ｆ）が第３吸入管２３ａに流れ込む。
【０１３７】
第３吸入管２３ａから第３圧縮部２３に吸い込まれた冷媒は、圧縮されて第３吐出管２３ｂに吐出される（点Ｇ）。吐出された冷媒は、第３四路切換弁２８を通過し、第３室外熱交換器４３で冷却された後（第３室外熱交換器４３に付着した霜を解凍させてデフロストを行いつつ）、第１室外膨張弁４７が全閉状態になっているために共通配管４７ａには冷媒は流れず、第３インタークーラ管４３ｃを介して第４吸入管２４ａに流れ込む（点Ｈ）。
【０１３８】
第４吸入管２４ａから第４圧縮部２４に吸い込まれた冷媒は、圧縮されて第４吐出管２４ｂに吐出される（点Ｉ）。吐出された高圧の冷媒は、臨界圧力を超えた超臨界状態となっている。この超臨界状態の冷媒は、第４四路切換弁２９を通過し、第４室外熱交換器４４に向かうことなく、ガス冷媒連絡配管１５を介して第１室内ユニット１２や第２室内ユニット１３に流入する（点Ｙ）。
【０１３９】
ガス冷媒連絡配管１５から第１室内ユニット１２や第２室内ユニット１３に入った高圧冷媒は、冷媒の放熱器として機能する第１室内熱交換器１２ａや第２室内熱交換器１３ａで室内空気に放熱し、室内空気を暖める。すなわち、インタークーラデフロスト運転中は、室内の暖房運転が継続される。なお、第１室内熱交換器１２ａが配置されている室内の負荷の処理は、第１室内送風ファン１２ｃの風量を制御部７が調節することによって処理している。第２室内熱交換器１３ａが配置されている室内の負荷の処理についても同様に、第２室内送風ファン１３ｃの風量を制御部７が調節することによって処理している。第１室内熱交換器１２ａや第２室内熱交換器１３ａでの熱交換によって温度が下がった高圧冷媒（点Ｘ）は、高圧制御が行われている第１室内膨張弁１２ｂや第２室内膨張弁１３ｂを通過する際にわずかに減圧され、液冷媒連絡配管１４を通って室外ユニット１１のブリッジ回路４９へと流れる。ブリッジ回路４９では、第２逆止弁４９ｂを通過して、エコノマイザ熱交換器５１へ向かう（点Ｊ）。
【０１４０】
ブリッジ回路４９の第２逆止弁４９ｂを通過した高圧冷媒（点Ｊ）は、その一部がエコノマイザインジェクション配管５３に分岐して流れて、エコノマイザ膨張弁５２において減圧される。エコノマイザ膨張弁５２において減圧されて気液二相状態となった中間圧冷媒（点Ｋ）は、エコノマイザ熱交換器５１において、他の一部の冷媒（ブリッジ回路４９から液ガス熱交換器６１に向かう高圧冷媒（点Ｊ））と熱交換し、中間圧のガス冷媒（点Ｌ）となる。この中間圧のガス冷媒（点Ｌ）は、上述のようにインジェクション配管５３から第２インタークーラ管４２ｃへと流れ込む。
【０１４１】
エコノマイザ膨張弁５２を出た中間圧冷媒と熱交換をし、更に温度が下がった状態でエコノマイザ熱交換器５１を出た高圧冷媒（点Ｍ）は、液ガス熱交換器６１を通過して、膨張機構７０へと流れていく（点Ｎ）。
【０１４２】
膨張機構７０に流入する高圧冷媒（点Ｎ）は、２つに分岐され、一方が膨張機構７０の膨張機７１に向けて流れ、他方が膨張機構７０の第３室外膨張弁７２に向けて流れる。第３室外膨張弁７２では、超臨界状態から臨界圧力以下の圧力まで減圧されることで、中間圧冷媒（点Ｏ１）となる。また、膨張機７１においても、超臨界状態から臨界圧力以下の圧力まで減圧されることで、中間圧冷媒（点Ｏ２）となる。なお、膨張機構７０は、膨張機７１で回収できる動力ができるだけ大きく確保できるように制御部７に制御されている。これら中間圧冷媒（点Ｏ１）と中間圧冷媒（点Ｏ２）は、合流した後にレシーバ８１の内部空間へと流れ込む（点Ｐ）。このレシーバ８１に流れ込んだ気液二相状態の中間圧冷媒は、レシーバ８１の内部空間において液冷媒とガス冷媒とに分離される。
【０１４３】
レシーバ８１で分離された液冷媒（点Ｑ）は、液冷媒出口管８３を流れる。液冷媒出口管８３を流れる冷媒は、全て、過冷却熱交換器９１を通過して過冷却状態となり（点Ｗ）、過冷却冷媒配管８４やブリッジ回路４９へと送られることになる。
【０１４４】
なお、インタークーラデフロスト運転時には、制御部７は、過冷却膨張弁９２を全閉状態に制御しているため、液冷媒出口管８３を流れる冷媒は、過冷却インジェクション配管９３に向けて分流しない。
【０１４５】
レシーバ８１で分離されたガス冷媒（点Ｓ）は、分離ガス配管８０を流れる。分離ガス配管８０を流れる冷媒は、途中の分離ガス膨張弁８２で減圧され低圧冷媒（点Ｔ）となる。なお、分離ガス膨張弁８２は、膨張機構７０の下流側に設けられている中間温度センサ７０ｔの検知飽和温度に相当する中間圧力と、第１吸入管２１ａに設けられている吸入圧力センサ２１ｐの検知圧力と、から把握される差圧に相当する差圧を分離ガス膨張弁８２の前後において生じさせることができるように弁開度（膨張程度）が、制御部７によって制御される（差圧制御が行われる）。分離ガス膨張弁８２で減圧された低圧冷媒（点Ｔ）は、さらに分離ガス配管８０を流れて、過冷却インジェクション配管９３のうち、過冷却膨張弁９２よりも下流側であって過冷却熱交換器９１よりも上流側の部分に流れ込む（点Ｕ）。
【０１４６】
過冷却熱交換器９１では、レシーバ８１の液冷媒出口管８３から流れてくる中間圧冷媒（点Ｑ）と、分離ガス膨張弁８２で減圧された低圧冷媒（点Ｔ，Ｕ）との間で熱交換が行われる。この熱交換によって、過冷却インジェクション配管９３を流れる低圧冷媒（点Ｔ、Ｕ）は、蒸発して過熱のついた低圧冷媒（点Ｖ）となって、合流点６５に向けて流れていく。レシーバ８１の液冷媒出口管８３から流れてくる中間圧冷媒（点Ｑ）は、熱を奪われて過冷却のついた中間圧冷媒（点Ｗ）となり、過冷却冷媒配管８４を介してブリッジ回路４９に向けて流れていく。
【０１４７】
過冷却冷媒配管８４をブリッジ回路４９に向けて流れる冷媒は、第１室外膨張弁４７が全閉状態に制御されていることにより共通配管４７ａに向けて流れることなく、ブリッジ回路４９の第２室外膨張弁４８を通過するように流れる。
【０１４８】
第２室外膨張弁４８を通過する際に減圧された冷媒（点Ｗａ）は、第４室外熱交換器４４に流入し、第４室外熱交換器４４において蒸発する（点Ｗｂ）。
【０１４９】
第４室外熱交換器４４で蒸発した冷媒は、第４配管４４ａ、第４四路切換弁２９、低圧冷媒配管１９をこの順で通過する。
【０１５０】
なお、ここで、制御部７は、第４室外熱交換器４４の上流側に設けられた第１温度センサ４４ｔ１の検知温度と、第４室外熱交換器４４の下流側に設けられた第２温度センサ４４ｔ２の検知温度と、の差（４４ｔ２−４４ｔ１）が所定値より大きくなるように、第２室外膨張弁４８の減圧程度（弁開度）を制御する。
【０１５１】
低圧冷媒配管１９を流れる低圧のガス冷媒（点Ｗｂ）は、過冷却インジェクション配管９３を流れる低圧のガス冷媒（点Ｖ）と、合流点６５において合流した後（点Ｚ）、液ガス熱交換器６１の低圧側を流れ、液ガス熱交換器６１において高圧側の冷媒と熱交換が行われる。ここで、制御部７は、低圧冷媒配管１９を流れる冷媒と過冷却インジェクション配管９３を流れる冷媒とが合流した後であって液ガス熱交換器６１に流入する前の冷媒（合流点６５を流れる冷媒）について、液ガス熱交換器６１の低圧側の下流側に設けられている合流冷媒温度センサ６４ｔの検知温度と、吸入圧力センサ２１ｐの検知圧力とを用いて、所定の過熱度が生じた状態になるように（特に限定されないが、本実施形態では過熱度が３度以上生じた状態になるように）、分離ガス膨張弁８２の弁開度を制御する。
【０１５２】
液ガス熱交換器６１の低圧側を通過した低圧のガス冷媒は、第１吸入管２１ａを介して四段圧縮機２０に吸入される（点Ａ）。
【０１５３】
以上のように冷媒が冷媒回路内を循環することにより、空気調和装置１はインタークーラデフロスト運転サイクルを行う。
【０１５４】
なお、インタークーラデフロスト運転サイクルが行われている間に、インタークーラデフロスト運転終了条件を満たした場合に、制御部７が四路切換弁群２５の接続状態を暖房運転状態に戻す。ただし、インタークーラデフロスト運転中に後述するガスクーラデフロスト運転開始条件を満たす状態になっていた場合には、制御部７は、暖房運転状態に戻すことなく、ガスクーラデフロスト運転状態となるように四路切換弁群２５の接続状態を切り換えて、ガスクーラデフロスト運転サイクルを行うことになる。
【０１５５】
なお、インタークーラデフロスト運転終了条件は、特に限定されるものではなく、例えば、第１〜第３室外熱交換器４１〜４３の熱交換の性能が所定値（上記開始条件の所定値と異なってもよい。）よりも上がった場合や、インタークーラデフロスト運転が所定時間以上継続して行われた場合等とすることができる。
【０１５６】
（２−４）ガスクーラデフロスト運転モード時の動作
ガスクーラデフロスト運転時は、図８に示す冷媒配管に沿った矢印の方向に、冷媒が循環する。すなわち、第１圧縮部２１、第２圧縮部２２、第３圧縮部２３、第４圧縮部２４、第４室外熱交換器４４、膨張機構７０、第３室外熱交換器４３、第２室外熱交換器４２、第１室外熱交換器４１の順に冷媒回路内を循環する。以下、ガスクーラデフロスト運転時における空気調和装置１の動作について、図８および図９を参照しながら説明する。
【０１５７】
なお、ガスクーラデフロスト運転モードは、暖房運転モード実行中にガスクーラデフロスト運転開始条件を満たした場合に、制御部７が四路切換弁群２５の接続状態をガスクーラデフロスト運転の状態に切り換えて運転を行う。
【０１５８】
ここで、ガスクーラデフロスト運転開始条件は、特に限定されるものではなく、例えば、第４室外熱交換器４４の熱交換の性能が所定値よりも下がった場合や、外気温度センサ４６の検知する値が所定時間以上継続して所定温度以下である場合や、起動時もしくは直前のガスクーラデフロスト運転終了時から暖房運転が所定の時間行われた場合等とすることができる。また、ガスクーラデフロスト運転開始条件とインタークーラデフロスト運転開始条件は、異なる条件であってよい。
【０１５９】
ガスクーラデフロスト運転は、第４室外熱交換器４４に付着した霜を第４圧縮部２４から吐出された冷媒の熱によって取り除く運転である。
【０１６０】
第１吸入管２１ａから四段圧縮機２０に吸い込まれる低圧のガス冷媒（点Ａ）は、第１圧縮部２１で圧縮されて、第１吐出管２１ｂに吐出される（点Ｂ）。吐出された冷媒は、第１四路切換弁２６を通過し、第２吸入管２２ａを流れる（点Ｃ）。
【０１６１】
第２吸入管２２ａから第２圧縮部２２に吸い込まれた冷媒は、圧縮されて第２吐出管２２ｂに吐出される（点Ｄ）。吐出された冷媒は、第２四路切換弁２７を通過し、第３吸入管２３ａを流れる。なお、第３吸入管２３ａには、エコノマイザ熱交換器５１において熱交換されてインジェクション配管５３を流れてくる中間圧の冷媒（点Ｌ）も流れ込んでくるため、冷媒の温度が下がる（点Ｆ）。
【０１６２】
第３吸入管２３ａから第３圧縮部２３に吸い込まれた冷媒は、圧縮されて第３吐出管２３ｂに吐出される（点Ｇ）。吐出された冷媒は、第３四路切換弁２８を通過し、第４吸入管２４ａを流れる（点Ｈ）。
【０１６３】
第４吸入管２４ａから第４圧縮部２４に吸い込まれた冷媒は、圧縮されて第４吐出管２４ｂに吐出される（点Ｉ）。吐出された高圧の冷媒は、臨界圧力を超えた超臨界状態となっている。この超臨界状態の冷媒は、第４四路切換弁２９を通過し、第４配管４４ａを介して第４室外熱交換器４４に送られる。
【０１６４】
第４室外熱交換器４４を通過する高温高圧の冷媒は、第４室外熱交換器４４を冷媒の放熱器として機能させることで温度が低下し、第４室外熱交換器４４に付着している霜を解凍させてデフロストを行う。
【０１６５】
第４室外熱交換器４４を通過した冷媒（点Ｉａ）は、第８配管４４ｂを介してブリッジ回路４９に流入する。
【０１６６】
ここで、ガスクーラデフロスト運転中は第２室外膨張弁４８が全閉状態となっているため、ブリッジ回路４９に流入した冷媒は、第２室外膨張弁４８を通過することなく、第３逆止弁４９ｃを通過するように流れる。
【０１６７】
第３逆止弁４９ｃを通過した高圧冷媒は、その一部がエコノマイザインジェクション配管５３に分岐して流れて、エコノマイザ膨張弁５２において減圧される。エコノマイザ膨張弁５２において超臨界状態から臨界圧力以下の圧力まで減圧されて気液二相状態となった中間圧冷媒（点Ｋ）は、エコノマイザ熱交換器５１において、他の一部の冷媒（ブリッジ回路４９から液ガス熱交換器６１に向かう臨界圧力を超えている高圧冷媒（点Ｊ））と熱交換し、中間圧のガス冷媒（点Ｌ）となる。この中間圧のガス冷媒（点Ｌ）は、上述のようにインジェクション配管５３から第２インタークーラ管４２ｃへと流れ込む。
【０１６８】
エコノマイザ膨張弁５２を出た中間圧冷媒と熱交換をし、更に温度が下がった状態でエコノマイザ熱交換器５１を出た高圧冷媒（点Ｍ）は、液ガス熱交換器６１を通過する際に放熱し、膨張機構７０へと流れていく（点Ｎ）。なお、膨張機構７０は、膨張機７１で回収できる動力ができるだけ大きく確保できるように制御部７に制御されている。液ガス熱交換器６１では、エコノマイザ熱交換器５１を通過した臨界圧力を超えている高圧冷媒（点Ｍ）が、低圧冷媒配管１９から第１吸入管２１ａへと流れる低圧冷媒と過冷却インジェクション配管９３を流れる低圧冷媒とが合流した合流冷媒と、の間で熱交換によって冷却され、温度が下がった高圧冷媒（点Ｎ）となる。
【０１６９】
液ガス熱交換器６１を出た高圧冷媒（点Ｎ）は、２つに分岐され、一方が膨張機構７０の膨張機７１に向けて流れ、他方が膨張機構７０の第３室外膨張弁７２に向けて流れる。第３室外膨張弁７２では、超臨界状態から臨界圧力以下の圧力まで減圧されることで、中間圧冷媒（点Ｏ１）となる。また、膨張機７１においても、超臨界状態から臨界圧力以下の圧力まで減圧されることで、中間圧冷媒（点Ｏ２）となる。これら中間圧冷媒（点Ｏ１）と中間圧冷媒（点Ｏ２）は、合流した後にレシーバ８１の内部空間へと流れ込む（点Ｐ）。このレシーバ８１に流れ込んだ気液二相状態の中間圧冷媒は、レシーバ８１の内部空間において液冷媒とガス冷媒とに分離される。
【０１７０】
レシーバ８１で分離された液冷媒（点Ｑ）は、液冷媒出口管８３を流れる。液冷媒出口管８３を流れる冷媒は、過冷却熱交換器９１を通過して過冷却状態となり（点Ｗ）、過冷却冷媒配管８４を通過する。
【０１７１】
レシーバ８１で分離されたガス冷媒（点Ｓ）は、分離ガス配管８０を流れる。分離ガス配管８０を流れる冷媒は、途中の分離ガス膨張弁８２で減圧され低圧冷媒（点Ｔ）となる。なお、分離ガス膨張弁８２は、膨張機構７０の下流側に設けられている中間温度センサ７０ｔの検知飽和温度に相当する中間圧力と、第１吸入管２１ａに設けられている吸入圧力センサ２１ｐの検知圧力と、から把握される差圧に相当する差圧を分離ガス膨張弁８２の前後において生じさせることができるように弁開度（膨張程度）が、制御部７によって制御される（差圧制御が行われる）。分離ガス膨張弁８２で減圧された低圧冷媒（点Ｔ）は、さらに分離ガス配管８０を流れて、過冷却インジェクション配管９３のうち、過冷却膨張弁９２よりも下流側であって過冷却熱交換器９１よりも上流側の部分に流れ込む（点Ｕ）。
【０１７２】
過冷却熱交換器９１では、レシーバ８１の液冷媒出口管８３から流れてくる中間圧冷媒（点Ｑ）と、分離ガス膨張弁８２で減圧された低圧冷媒（点Ｔ，Ｕ）との間で熱交換が行われる。この熱交換によって、過冷却インジェクション配管９３を流れる低圧冷媒（点Ｔ、Ｕ）は、蒸発して過熱のついた低圧冷媒（点Ｖ）となって、合流点６５に向けて流れていく。レシーバ８１の液冷媒出口管８３から流れてくる中間圧冷媒（点Ｑ）は、熱を奪われて過冷却のついた中間圧冷媒（点Ｗ）となり、過冷却冷媒配管８４を介してブリッジ回路４９に向けて流れていく。
【０１７３】
過冷却冷媒配管８４を介してブリッジ回路４９に向けて流れる冷媒は、ガスクーラデフロスト運転中は第１室内膨張弁１２ｂおよび第２室内膨張弁１３ｂが全閉状態とされていることから、ブリッジ回路４９の第１逆止弁４９ａ側には流れず、またガスクーラデフロスト運転中は第２室外膨張弁４８も全閉状態とされていることから第２室外膨張弁４８側にも流れずに、第１室外膨張弁４７へと流れていく（点Ｗｃ）。
【０１７４】
第１室外膨張弁４７を通過する際に減圧されることで低圧の気液二相状態となった冷媒（点Ｗｃ）は、第３室外熱交換器４３、第２室外熱交換器４２、第１室外熱交換器４１の順に直列に流れていく。すなわち、第１室外膨張弁４７で減圧された冷媒は、第７配管４３ｂを介して第３室外熱交換器４３において一部が蒸発する。第３室外熱交換器４３を通過した冷媒は、第３配管４３ａ、第３四路切換弁２８、第２インタークーラ管４２ｃの一部、および、第６配管４２ｂをこの順に通過して、第２室外熱交換器４２においてさらに一部が蒸発する。第２室外熱交換器４２を通過した冷媒は、第２配管４２ａ、第２四路切換弁２７、第１インタークーラ管４１ｃの一部、および、第５配管４１ｂをこの順に通過して、第１室外熱交換器４１においてさらに一部が蒸発する。第１室外熱交換器４１を通過した冷媒は、第１配管４１ａ、第１四路切換弁２６、四路接続配管３０をこの順で通過した後、低圧冷媒配管１９へと向けて流れる（点Ｗｄ）。ここで、制御部７は、第３室外熱交換器４３の上流側に設けられている第４温度センサ４３ｔの検知温度と、第１室外熱交換器４１の下流側に設けられた第３温度センサ４１ｔの検知温度と、の差（４１ｔ−４３ｔ）が所定値より大きくなるように、第１室外膨張弁４７の減圧程度（弁開度）を制御する。
【０１７５】
低圧冷媒配管１９を流れる低圧のガス冷媒（点Ｗｄ）は、過冷却インジェクション配管９３を流れる低圧のガス冷媒（点Ｖ）と、合流点６５において合流した後（点Ｚ）、液ガス熱交換器６１の低圧側を流れ、液ガス熱交換器６１において高圧側の冷媒と熱交換が行われる。ここで、制御部７は、低圧冷媒配管１９を流れる冷媒と過冷却インジェクション配管９３を流れる冷媒とが合流した後であって液ガス熱交換器６１に流入する前の冷媒（合流点６５を流れる冷媒）について、液ガス熱交換器６１の低圧側の下流側に設けられている合流冷媒温度センサ６４ｔの検知温度と、吸入圧力センサ２１ｐの検知圧力とを用いて、所定の過熱度が生じた状態になるように（特に限定されないが、本実施形態では過熱度が３度以上生じた状態になるように）、分離ガス膨張弁８２の弁開度を制御する。
【０１７６】
液ガス熱交換器６１の低圧側を通過した低圧のガス冷媒は、第１吸入管２１ａを介して四段圧縮機２０に吸入される（点Ａ）。
【０１７７】
以上のように冷媒が冷媒回路内を循環することにより、空気調和装置１はガスクーラデフロスト運転サイクルを行う。
【０１７８】
なお、ガスクーラデフロスト運転サイクルが行われている間に、ガスクーラデフロスト運転終了条件を満たした場合に、制御部７が四路切換弁群２５の接続状態を暖房運転状態に戻す。ただし、ガスクーラデフロスト運転中に上述したインタークーラデフロスト運転開始条件を満たす状態になっていた場合には、制御部７は、暖房運転状態に戻すことなく、インタークーラデフロスト運転状態となるように四路切換弁群２５の接続状態を切り換えて、インタークーラデフロスト運転サイクルを行うことになる。
【０１７９】
なお、ガスクーラデフロスト運転終了条件は、特に限定されるものではなく、例えば、第４室外熱交換器４４の熱交換の性能が所定値（上記開始条件の所定値と異なってもよい。）よりも上がった場合や、ガスクーラデフロスト運転が所定時間以上継続して行われた場合等とすることができる。
【０１８０】
（３）空気調和装置の特徴
（３−１）
本実施形態の空気調和装置１では、インタークーラデフロスト運転サイクルでは、室外熱交換器４０のうちの一部である第１〜第３室外熱交換器４１〜４３の霜を取り除くことができ、ガスクーラデフロスト運転サイクルでは、室外熱交換器４０のうちの他の一部である第４室外熱交換器４４の霜を取り除くことができる。このため、室外熱交換器４０において部分的に生じた着霜を部分的なデフロスト運転によって効率的に取り除くことが可能になっている。なお、このような部分的で効率的なデフロストが可能になることにより、デフロスト時間を短縮させることも可能になっている。
【０１８１】
（３−２）
本実施形態の空気調和装置１では、インタークーラデフロスト運転サイクルでは、第１室内熱交換器１２ａおよび第２室内熱交換器１３ａを冷媒の放熱器として機能させたままで、第１〜第３室外熱交換器４１〜４３の霜を取り除いている。このため、第１〜第３室外熱交換器４１〜４３のデフロストを終えるために時間を要したとしても、室内の温度が過度に低下することなく、室内環境を快適に維持することが可能になっている。
【０１８２】
（３−３）
本実施形態の空気調和装置１では、暖房運転では、第１室外膨張弁４７と第２室外膨張弁４８の両方とも開いた状態とすることで、第１〜第３室外熱交換器４１〜４３への流れと、第４室外熱交換器４４側への流れとに分けて並列に冷媒を流すことができ、室外熱交換器４０の全体で冷媒を蒸発させることが可能になっている。
【０１８３】
そして、インタークーラデフロスト運転では、四路切換弁群２５による切り換えを行いつつ、第１室外膨張弁４７を全閉状態にしつつ第２室外膨張弁４８が開いた状態にすることで、第１〜第３室外熱交換器４１〜４３においてはデフロストを行いつつ、第４室外熱交換器４４においては冷媒を蒸発させることが可能になっている。
【０１８４】
さらに、ガスクーラデフロスト運転では、四路切換弁群２５による切り換えを行いつつ、第２室外膨張弁４８を全閉状態にしつつ第１室外膨張弁４７が開いた状態にすることで、第４室外熱交換器４４においてはデフロストを行いつつ、第１〜第３室外熱交換器４１〜４３においては冷媒を蒸発させることが可能になっている。
【０１８５】
このようにして、四路切換弁群２５による切り換えと第１室外膨張弁４７と第２室外膨張弁４８の２つの膨張弁の開閉制御によって、暖房運転とインタークーラデフロスト運転とガスクーラデフロスト運転とを切り換えて行うことが可能になっている。
【０１８６】
（３−４）
本実施形態の空気調和装置１では、ガスクーラデフロスト運転では、第１室内熱交換器１２ａおよび第２室内熱交換器１３ａを冷媒の蒸発器としては機能させない。これにより、ガスクーラデフロスト運転中に室内の温度を積極的に下げてしまうことを防止することが可能になっている。
【０１８７】
（３−５）
本実施形態の空気調和装置１では、室外熱交換器４０は、第４室外熱交換器４４が第１〜第３室外熱交換器４１〜４３の上方に配置されている。このため、ガスクーラデフロスト運転が行われている間であっても、第４室外熱交換器４４に付着していた霜が解凍することで生じた水が下方に落ち、第１〜第３室外熱交換器４１〜４３に向けて移動させることができる。このため、例えば、第１〜第３室外熱交換器４１〜４３においても霜が付着していた場合には、上方から流れ落ちてくる水によって第１〜第３室外熱交換器４１〜４３の霜も解凍させることが可能になる。
【０１８８】
（４）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【０１８９】
（４−１）他の実施形態Ａ
上記実施形態では、インタークーラデフロスト運転とガスクーラデフロスト運転とのいずれか一方のみが行われるように、切り換えられる場合を例に挙げて説明した。
【０１９０】
これに対して、インタークーラデフロスト運転とガスクーラデフロスト運転の制御については、これに限られるものではなく、例えば、第１〜第３室外熱交換器４１〜４３だけでなく第４室外熱交換器４４を含めた室外熱交換器４０全体を同時にデフロストさせる全体デフロスト運転を行うモードを制御部７が実行できるように、インタークーラデフロスト運転モードやガスクーラデフロスト運転モードとは別に備えていてもよい。
【０１９１】
この全体デフロスト運転では、四路切換弁群２５の接続状態と第１室外膨張弁４７と第２室外膨張弁４８の制御を冷房運転状態と同様にしつつ、第１室内送風ファン１２ｃおよび第２室内送風ファン１３ｃの駆動を停止させる。
【０１９２】
また、この場合、全体デフロスト運転の開始条件として、インタークーラデフロスト運転開始条件やガスクーラデフロスト運転開始条件とは異なる開始条件を設定していてもよい。
【０１９３】
（４−２）他の実施形態Ｂ
上記実施形態では、インタークーラデフロスト運転とガスクーラデフロスト運転のいずれにおいても、エコノマイザ膨張弁５２を開けてエコノマイザインジェクション配管５３に冷媒を流す場合を例に挙げて説明した。
【０１９４】
これに対して、インタークーラデフロスト運転およびガスクーラデフロスト運転におけるエコノマイザ膨張弁５２の制御としては、これに限られるものではなく、例えば、デフロストを行う冷媒温度を高めるために、インタークーラデフロスト運転時やガスクーラデフロスト運転時にはエコノマイザ膨張弁５２を全閉状態にするようにしてもよい。
【０１９５】
（４−３）他の実施形態Ｃ
上記実施形態では、インタークーラデフロスト運転とガスクーラデフロスト運転のいずれにおいても、膨張機７１を稼動させた場合を例に挙げて説明した。
【０１９６】
これに対して、インタークーラデフロスト運転およびガスクーラデフロスト運転における膨張機７１の制御としてはこれに限られるものではなく、これらのデフロスト運転時には膨張機７１を停止させるようにしてもよい。これにより、膨張機７１の起動や停止に要する時間を省略することができ、デフロスト運転を短時間で終了させることも可能になる。
【０１９７】
（４−４）他の実施形態Ｄ
上記実施形態では、室外熱交換器４０に対して空気流れを生じさせる室外送風ファン４５が設けられている場合を例に挙げて説明した。
【０１９８】
これに対して、例えば、室外送風ファン４５は、第１〜第３室外熱交換器４１〜４３の全体に空気流れを送るように設けられたファンと、第４室外熱交換器４４に空気流れを送るように設けられたファンと、が個別に設けられていて構成されていてもよい。
【０１９９】
そして、インタークーラデフロスト運転時は、第１〜第３室外熱交換器４１〜４３の全体に対応するように設けられたファンは運転させずに、第４室外熱交換器４４に対応するように設けられたファンを運転させるようにしてもよい。これにより、デフロストが行われている第１〜第３室外熱交換器４１〜４３には空気流れを積極的に送ること無く、第４室外熱交換器４４に対しては空気流れを積極的に送って第４室外熱交換器４４における蒸発能力を高めることが可能になる。
【０２００】
また、ガスクーラデフロスト運転時は、第４室外熱交換器４４に対応するように設けられたファンは運転させず、第１〜第３室外熱交換器４１〜４３に対応するように設けられたファンを運転させるようにしてもよい。これにより、デフロストが行われている第４室外熱交換器４４には空気流れを積極的に送ること無く、第１〜第３室外熱交換器４１〜４３に対しては空気流れを積極的に送って第１〜第３室外熱交換器４１〜４３における蒸発能力を高めることが可能になる。
【０２０１】
（４−５）他の実施形態Ｅ
上記実施形態では、４段の圧縮を行う四段圧縮機２０を採用する空気調和装置１を例に挙げて説明した。
【０２０２】
しかし、４段圧縮を行う空気調和装置に限定されることなく、例えば、３段圧縮を行う空気調和装置であってもよい。
【０２０３】
例えば、３段圧縮を行う空気調和装置では、インタークーラデフロスト運転時には冷房運転時にインタークーラ（中間冷却器）として機能する室外熱交換器の一部のデフロストを行い、ガスクーラデフロスト運転時には冷房運転時に最高段の圧縮部から吐出された冷媒の放熱器として機能する室外熱交換器の他の一部のデフロストを行うようにしてもよい。
【符号の説明】
【０２０４】
１      空気調和装置
７    制御部
１２    室内ユニット
１２ａ    第１室内熱交換器、室内熱交換器（利用側熱交換器）
１２ｂ    第１室内膨張弁、室内膨張弁
１２ｔ    第１室内温度センサ
１３    第２室内ユニット、室内ユニット
１３ａ    第２室内熱交換器、室内熱交換器（利用側熱交換器）
１３ｂ    第２室内膨張弁、室内膨張弁
１３ｔ    第２室内温度センサ
２０      四段圧縮機
２１      第１圧縮部（低段側圧縮部）
２１ｐ    吸入圧力センサ
２２      第２圧縮部（低段側圧縮部）
２３      第３圧縮部（低段側圧縮部）
２４      第４圧縮部（高段側圧縮部）
２４ｐ    吐出圧力センサ
２５      四路切換弁群
２６      第１四路切換弁（第１切換機構）
２７      第２四路切換弁（第１切換機構）
２８      第３四路切換弁（第１切換機構）
２９      第４四路切換弁（第２切換機構）
３０      四路接続配管
４０      室外熱交換器
４１      第１室外熱交換器（熱源側第１熱交換器）
４２      第２室外熱交換器（熱源側第１熱交換器）
４３      第３室外熱交換器（熱源側第１熱交換器）
４４      第４室外熱交換器（熱源側第２熱交換器）
４１ｃ    第１インタークーラ管
４２ｃ    第２インタークーラ管
４３ｃ    第３インタークーラ管
４１ａ    第１配管
４２ａ    第２配管
４３ａ    第３配管
４４ａ    第４配管
４５    室外送風ファン
４６    外気温度センサ
４７    第１室外膨張弁（第１膨張弁）
４８    第２室外膨張弁（第２膨張弁）
４９    ブリッジ回路
５０    エコノマイザ回路
５１    エコノマイザ熱交換器
５２    エコノマイザ膨張弁
５３    エコノマイザインジェクション配管
６０    液ガス熱交回路
６１    液ガス熱交換器
６４ｔ    合流冷媒温度センサ
７０      膨張機構
７０ｐ    中間温度センサ
７１    膨張機
７２    膨張弁
８０    分離ガス配管
８１    レシーバ
８２  分離ガス膨張弁
８３    液冷媒出口管
９０    過冷却回路
９０ｔ  過冷却温度センサ
９１    過冷却熱交換器
９２    過冷却膨張弁
９３    過冷却インジェクション配管
【先行技術文献】
【特許文献】
【０２０５】
【特許文献１】特開２０１３−２１０１５８号公報
【図１】
0006398363.tif 000002
【図２】
0006398363.tif 000003
【図３】
0006398363.tif 000004
【図４】
0006398363.tif 000005
【図５】
0006398363.tif 000006
【図６】
0006398363.tif 000007
【図７】
0006398363.tif 000008
【図８】
0006398363.tif 000009
【図９】
0006398363.tif 000010